(57)【要約】【課題】撮像部によって取得される画像を表示することが可能な装置において、撮像部への電力供給を適切に制御する。【解決手段】表示部の表示を、撮像部によって取得されるＥＥ（Electric  to  Electric）画像に対して所定の関係を有する第１の種類の画像、ならびに上記第１の種類とは異なる第２の種類の画像を表示する第１の表示モード、および上記第１の種類の画像を表示せずに上記第２の種類の画像を表示する第２の表示モードの間で遷移させる表示制御部と、上記第１の表示モードおよび上記第２の表示モードの間の遷移において上記撮像部への電力供給を制御する電源制御部とを含む制御装置が提供される。【選択図】図３
2013187094.tif 000002
【特許請求の範囲】
【請求項１】
表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させる表示制御部と、
前記第１の表示モードおよび前記第２の表示モードの間の遷移において前記撮像部への電力供給を制御する電源制御部と
を備える制御装置。
【請求項２】
前記電源制御部は、前記表示部の画面における表示領域に対応して設定される第１の領域と、前記画面に配置される前記第１の種類の画像との位置関係に応じて前記撮像部への電力供給を制御する、請求項１に記載の制御装置。
【請求項３】
前記電源制御部は、前記第１の種類の画像が前記第１の領域に含まれない場合に前記撮像部の所定の部分に電力を供給しない、請求項２に記載の制御装置。
【請求項４】
前記第１の領域は、前記表示領域を包含する領域である、請求項３に記載の制御装置。
【請求項５】
前記電源制御部は、前記第１の種類の画像が前記第１の領域に含まれない状態で所定の時間が経過した場合に、前記撮像部の所定の部分への電力の供給を終了する、請求項３に記載の制御装置。
【請求項６】
前記電源制御部は、前記第１の種類の画像の少なくとも一部が前記表示領域に対応して設定される第２の領域に含まれる場合に前記撮像部の所定の部分に電力を供給する、請求項３に記載の制御装置。
【請求項７】
前記第１の領域は、前記第２の領域を包含する領域である、請求項６に記載の制御装置。
【請求項８】
前記第１の領域は、前記第２の領域と同一の領域である、請求項６に記載の制御装置。
【請求項９】
前記電源制御部は、前記第１の種類の画像の少なくとも一部が前記第１の領域に含まれる場合に前記撮像部の所定の部分に電力を供給する、請求項２に記載の制御装置。
【請求項１０】
前記画面は、重畳して表示される第１の画面および第２の画面を含み、
前記第１の領域は、前記第１の画面および前記第２の画面にそれぞれ設定される、請求項２に記載の制御装置。
【請求項１１】
前記第２の画面が前記第１の画面によって遮蔽され、前記第１の画面が前記表示領域を有する場合、前記第２の画面における前記第１の領域は前記第１の画面の前記表示領域に対応して設定される、請求項１０に記載の制御装置。
【請求項１２】
前記電源制御部は、前記第１の表示モードおよび前記第２の表示モードの間の遷移が発生してから所定の時間が経過した場合に、前記撮像部への電力供給を制御する、請求項１に記載の制御装置。
【請求項１３】
前記第１の種類の画像は、前記ＥＥ画像、前記ＥＥ画像の代替として表示される画像、または前記ＥＥ画像に共通する属性を有する再生画像を含む、請求項１に記載の制御装置。
【請求項１４】
前記第１の種類の画像は、撮影時刻、撮影位置、または被写体のうちの少なくとも１つについて、前記ＥＥ画像に共通する属性を有する再生画像を含む、請求項１３に記載の制御装置。
【請求項１５】
前記電源制御部は、前記撮像部の所定の部分に電力が供給されない状態で、前記表示部に表示される再生画像が、所定の時間以内に取得された前記ＥＥ画像に共通する属性を有する場合に、前記撮像部の所定の部分への電力の供給を開始する、請求項１３に記載の制御装置。
【請求項１６】
前記第１の種類の画像は、複数の前記撮像部によってそれぞれ取得される複数の前記ＥＥ画像を含む、請求項１３に記載の制御装置。
【請求項１７】
前記第１の種類の画像は、単一の前記撮像部によって取得される画像を異なる状態で表示する複数のＥＥ画像を含む、請求項１３に記載の制御装置。
【請求項１８】
ユーザの操作入力を取得する入力処理部をさらに備え、
前記電源制御部は、
前記操作入力に従って前記撮像部の所定の部分への電力の供給を終了するときには、前記撮像部に含まれる収納式レンズの収納状態を変更し、
前記第１の表示モードと前記第２の表示モードとの間の遷移において前記撮像部の所定の部分への電力の供給を終了するときには、前記収納状態を変更しない、
請求項１に記載の制御装置。
【請求項１９】
表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させることと、
前記第１の表示モードおよび前記第２の表示モードの間の遷移において前記撮像部への電力供給を制御することと
を含む制御方法。
【請求項２０】
表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させる機能と、
前記第１の表示モードおよび前記第２の表示モードの間の遷移において前記撮像部への電力供給を制御する機能と
をコンピュータに実現させるためのプログラムが記録された、コンピュータ読み取り可能な記録媒体。
【発明の詳細な説明】
【技術分野】
【０００１】
本開示は、制御装置、制御方法および記録媒体に関する。
【背景技術】
【０００２】
撮像素子を含む電子的な撮像部を有する装置は、デジタルカメラや携帯電話、ＰＣ（Personal  Computer）など数多くある。また、それ自身は撮像部をもたない装置でも、他の装置の撮像部をリモートで制御して撮影を実行することが一般的である。電子的な撮像部を用いた撮影では、撮像部が捉えている画像をリアルタイムで表示しつつ、ユーザの指示に応じてその画像を静止画または動画として記録する。このリアルタイムで表示される画像を、ＥＥ（Electric  to  Electric）画像という（スルー画像などともいう）。【０００３】
ＥＥ画像は、撮像部を有する装置、または撮像部をリモートで制御する装置の表示部に表示される。この表示部は、例えばＬＣＤ（Liquid  Crystal  Display）であり、ＥＥ画像に限らず、様々な画像が表示される。表示される画像には、過去に撮影された静止画または動画を再生した再生画像も含まれる。これまで、ＥＥ画像と再生画像とは、例えば表示部の表示モードをユーザ切り替えることによって分離的に表示される場合が多かった。【０００４】
ここで、特許文献１には、ＥＥ画像と再生画像を同時に表示部に表示させる技術が記載されている。特許文献１には、ＥＥ画像と再生画像とを、ＥＥ画像を最新とする時系列で配列することによって、ＥＥ画像が表示される表示モードと再生画像だけが表示される表示モードとを連続的に切り替えることを容易にする技術が記載されている。
【先行技術文献】
【特許文献】
【０００５】
【特許文献１】特開２００５−３２８２４２号公報
【発明の概要】
【発明が解決しようとする課題】
【０００６】
ところが、例えば上記の特許文献１に記載の技術を用いて、ＥＥ画像が表示される表示モードと再生画像だけが表示される表示モードとを連続的に切り替えた場合、ＥＥ画像が表示されているためにユーザによって撮像が実行される可能性がある状態と、ユーザが専ら再生画像を閲覧している状態とが連続的に切り替わることになる。従って、撮像部に電力を供給して撮像の実行に備える状態と、撮像部に電力を供給しなくてもよい状態とを識別することが容易ではなく、結果的に電力を浪費する場合もあった。【０００７】
そこで、本開示では、撮像部によって取得される画像を表示することが可能な装置において、撮像部への電力供給を適切に制御することが可能な、新規かつ改良された制御装置、制御方法および記録媒体を提案する。
【課題を解決するための手段】
【０００８】
本開示によれば、表示部の表示を、撮像部によって取得されるＥＥ（Electric  to  Electric）画像に対して所定の関係を有する第１の種類の画像、ならびに上記第１の種類とは異なる第２の種類の画像を表示する第１の表示モード、および上記第１の種類の画像を表示せずに上記第２の種類の画像を表示する第２の表示モードの間で遷移させる表示制御部と、上記第１の表示モードおよび上記第２の表示モードの間の遷移において上記撮像部への電力供給を制御する電源制御部とを含む制御装置が提供される。【０００９】
また、本開示によれば、表示部の表示を、撮像部によって取得されるＥＥ（Electric  to  Electric）画像に対して所定の関係を有する第１の種類の画像、ならびに上記第１の種類とは異なる第２の種類の画像を表示する第１の表示モード、および上記第１の種類の画像を表示せずに上記第２の種類の画像を表示する第２の表示モードの間で遷移させることと、上記第１の表示モードおよび上記第２の表示モードの間の遷移において上記撮像部への電力供給を制御することとを含む制御方法が提供される。【００１０】
表示部の表示を、撮像部によって取得されるＥＥ（Electric  to  Electric）画像に対して所定の関係を有する第１の種類の画像、ならびに上記第１の種類とは異なる第２の種類の画像を表示する第１の表示モード、および上記第１の種類の画像を表示せずに上記第２の種類の画像を表示する第２の表示モードの間で遷移させる機能と、上記第１の表示モードおよび上記第２の表示モードの間の遷移において上記撮像部への電力供給を制御する機能とをコンピュータに実現させるためのプログラムが記録された、コンピュータ読み取り可能な記録媒体が提供される。【００１１】
上記の制御装置、制御方法および記録媒体では、表示部における画像の表示において、ＥＥ画像に対して所定の関係を有する第１の種類の画像が表示されている第１のモードと、そうではない第２のモードとが定義される。表示制御部による表示部での表示の変化を、第１のモードと第２のモードとの間の遷移と解釈し、この遷移において撮像部への電力供給を制御することとすれば、ユーザによって次に実行されうる操作をより適切に把握して撮像部への電力供給に反映させることができ、ユーザの操作性を確保しながら無駄な電力供給を削減することができる。
【発明の効果】
【００１２】
以上説明したように本開示によれば、撮像部によって取得される画像を表示することが可能な装置において、撮像部への電力供給を適切に制御することができる。
【図面の簡単な説明】
【００１３】
【図１】本開示の関連技術について説明するための図である。
【図２】本開示に係る技術を分離した複数の装置によって実施した場合の装置構成の一例を示す図である。
【図３】本開示に係る技術を単一の装置によって実施した場合の装置構成の一例を示す図である。
【図４】本開示の第１の実施形態における表示の第１の例について説明するための図である。
【図５】本開示の第１の実施形態における表示の第２の例について説明するための図である。
【図６】本開示の第１の実施形態における表示の第３の例について説明するための図である。
【図７】本開示の第１の実施形態における表示の第４の例について説明するための図である。
【図８】本開示の第１の実施形態の変形例における表示の第１の例について説明するための図である。
【図９】本開示の第１の実施形態の変形例における表示の第２の例について説明するための図である。
【図１０】本開示の第２の実施形態における表示の例について説明するための図である。
【図１１】本開示の第２の実施形態の変形例における表示の例について説明するための図である。
【図１２】本開示の第３の実施形態における表示の例について説明するための図である。
【図１３】本開示の第３の実施形態における画像の属性分類の例について説明するための図である。
【図１４】本開示の第４の実施形態における表示の例について説明するための図である。
【図１５】本開示の第５の実施形態における表示の例について説明するための図である。
【図１６】本開示の第５の実施形態におけるスクロール操作について説明するための図である。
【図１７】本開示の第５の実施形態の第１の変形例における表示の例について説明するための図である。
【図１８】本開示の第５の実施形態の第２の変形例における表示の例について説明するための図である。
【図１９】本開示の第６の実施形態における表示の例について説明するための図である。
【図２０】本開示の第７の実施形態における表示の例について説明するための図である。
【図２１】本開示の第８の実施形態における表示の第１の例について説明するための図である。
【図２２】本開示の第８の実施形態における表示の第２の例について説明するための図である。
【図２３】本開示の第９の実施形態における画面構成の例について説明するための図である。
【図２４】本開示の第９の実施形態において第１の画面に設定される領域の例について説明するための図である。
【図２５】本開示の第９の実施形態において第２の画面に設定される領域の例について説明するための図である。
【図２６】本開示の第９の実施形態において第３の画面に設定される領域の例について説明するための図である。
【図２７】本開示の第９の実施形態において第４の画面に設定される領域の例について説明するための図である。
【図２８】本開示の第９の実施形態における処理フローの第１の例を示す図である。
【図２９】本開示の第９の実施形態における処理フローの第２の例を示す図である。
【図３０】本開示の第９の実施形態における処理フローの第３の例を示す図である。
【図３１】本開示の第９の実施形態における処理フローの第４の例を示す図である。
【図３２】本開示の第９の実施形態の第１の変形例について説明するための図である。
【図３３】本開示の第９の実施形態の第２の変形例について説明するための図である。
【図３４】本開示の第１０の実施形態における電力供給制御のタイミングの例について説明するための図である。
【図３５】本開示の第１０の実施形態における処理フローの第１の例を示す図である。
【図３６】本開示の第１０の実施形態における処理フローの第２の例を示す図である。
【図３７】本開示の第１０の実施形態における処理フローの第３の例を示す図である。
【図３８】本開示の第１０の実施形態における第１の変形例について説明するための図である。
【図３９】本開示の第１０の実施形態における第２の変形例について説明するための図である。
【図４０】本開示の第１０の実施形態における第３の変形例について説明するための図である。
【図４１】本開示の第１１の実施形態の比較例について説明するための図である。
【図４２】本開示の第１１の実施形態の例について説明するための図である。
【図４３】本開示の第１２の実施形態における処理フローの第１の例を示す図である。
【図４４】本開示の第１２の実施形態における処理フローの第２の例を示す図である。
【図４５】本開示の第１２の実施形態における処理フローの第３の例を示す図である。
【図４６】本開示の第１２の実施形態における処理フローの第４の例を示す図である。
【図４７】本開示の第１２の実施形態における処理フローの第５の例を示す図である。
【図４８】本開示の第１２の実施形態における処理フローの第６の例を示す図である。
【図４９】本開示の第１３の実施形態における処理フローの例を示す図である。
【図５０】本開示の第１４の実施形態における処理フローの第１の例を示す図である。
【図５１】本開示の第１４の実施形態における処理フローの第２の例を示す図である。
【図５２】本開示の第１４の実施形態における処理フローの第３の例を示す図である。
【図５３】本開示の第１４の実施形態における処理フローの第４の例を示す図である。
【発明を実施するための形態】
【００１４】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１５】
なお、本開示の実施形態は、例えば以下で説明される装置またはシステム、これらの装置またはシステムによって実行される方法、プロセッサによって実行されて上記装置の機能を実現させるためのプログラム、および該プログラムが記録されたコンピュータ読み取り可能な記録媒体を含む。
【００１６】
説明は以下の順序で行うものとする。
１．関連技術の説明
２．装置構成
３．表示態様に関する実施形態
３−１．第１の実施形態
３−２．第２の実施形態
３−３．第３の実施形態
３−４．第４の実施形態
３−５．第５の実施形態
３−６．第６の実施形態
３−７．第７の実施形態
３−８．第８の実施形態
４．内部処理に関する実施形態
４−１．第９の実施形態
４−２．第１０の実施形態
４−３．第１１の実施形態
４−４．第１２の実施形態
４−５．第１３の実施形態
４−６．第１４の実施形態
５．補足
【００１７】
（１．関連技術の説明）
まず、図１を参照して、本開示の関連技術について説明する。
【００１８】
図１は、本開示の関連技術について説明するための図である。図１を参照すると、表示部において、ＥＥ画像４１０と、再生画像４２０ａとが横方向に配列されて表示されている。ここで、例えばボタンやタッチパネルなどによって、これらの画像群を横方向にスライドさせるユーザ操作が取得された場合、画像群はスライドの方向（図示された例では右方向）にスライドする。これによって、表示領域の左端から新たに再生画像４２０ｂが現れ、さらに再生画像４２０ｃが現れる。一方、ＥＥ画像４１０は、表示領域の右端に近づき、やがて表示領域から外れる。
【００１９】
このように、表示部における画像の表示でＥＥ画像と再生画像とを混在させ、これらの画像に対する表示位置の移動などの操作を可能にする技術が提案されている。しかし、こうした技術では、撮像部に電力を供給して撮像の実行に備える状態と、撮像部に電力を供給しなくてもよい状態とを識別することが容易ではない。それゆえ、常時撮像部に電力を供給して結果的に電力を浪費したり、ユーザに撮像部の電力制御のための別途の操作を要求したりすることになる。
【００２０】
本開示の実施形態に係る技術は、こうした関連技術をさらに改良したものである。
【００２１】
（２．装置構成）
次に、図２および図３を参照して、本開示の実施形態に係る装置構成について説明する。
【００２２】
図２は、本開示に係る技術を分離した複数の装置によって実施した場合の装置構成の一例を示す図である。図２を参照すると、システム１０は、撮像装置１００と、表示装置２００と、画像記憶装置３００とを含む。
【００２３】
撮像装置１００は、撮像素子を含む撮像部を有し、静止画像または動画像を取得することが可能な装置である。撮像装置１００は、表示装置２００と通信し、撮像部によって取得されたＥＥ画像を含む画像データを表示装置２００に送信する。また、図示された例では、撮像装置１００が表示装置２００によってリモート制御されるため、撮像装置１００は、各種の制御信号を表示装置２００から受信する。この制御信号には、表示装置２００におけるＥＥ画像に関連する画像の表示状態に応じて撮像装置１００における撮像部への電力供給を制御するための信号が含まれる。撮像装置１００は、例えばリモート操作されるデジタルカメラなどでありうる。
【００２４】
表示装置２００は、表示部を有し、画像を表示することが可能な装置である。表示装置２００は、撮像装置１００と通信し、撮像部によって取得されたＥＥ画像を含む表示画像データを撮像装置１００から受信する。また、表示装置２００は、撮像装置１００を制御するための制御信号を撮像装置１００に送信する。一方、表示装置２００は、画像記憶装置３００とも通信し、再生画像として表示する画像データを画像記憶装置３００から受信する。また、表示装置２００は、撮像装置１００から提供されたＥＥ画像の画像データを、記録のために画像記憶装置３００に送信してもよい。表示装置２００は、例えばデジタルカメラをリモート操作する機能を有するＰＣなどの各種情報処理装置でありうる。
【００２５】
画像記憶装置３００は、記憶部を有し、画像を記録することが可能な装置である。画像記憶装置３００は、表示装置２００と通信し、記憶部に記録された再生画像の画像データを表示装置２００に送信する。また、画像記憶装置３００は、新たに記録するための画像データを表示装置２００から受信してもよい。あるいは、画像記憶装置３００は、撮像装置１００とも通信し、新たに記録するための画像データを撮像装置１００から受信してもよい。画像記憶装置３００は、例えば表示装置２００にネットワークを介して接続される各種ストレージ装置でありうる。
【００２６】
図３は、本開示に係る技術を単一の装置によって実施した場合の装置構成の一例を示す図である。図３を参照すると、装置１０００は、レンズ１２１と、ＡＦ（Auto  Focus）機構１２３と、絞り１２５と、手振れ補正機構１２７と、撮像素子１２９と、撮像素子Ｉ／Ｆ（Interface）１３１と、信号処理部１３３とを含む。以下の説明では、レンズ１２１から信号処理部１３３までの構成要素を、総括的に撮像部１３５ともいう。撮像部１３５は、上記の図２の例では撮像装置１００に含まれうる。
【００２７】
また、装置１０００は、電源制御Ｉ／Ｆ２０１と、電源制御部２０３と、演算部２０５と、揮発性記憶部２０７と、信号処理部２０９と、入力部２１１と、入力処理部２１３と、表示制御部２１５と、表示部２１７とを含む。電源制御Ｉ／Ｆ２０１から表示部２１７までの構成要素は、図２の例では表示装置２００に含まれうる。さらに、装置１０００は、不揮発性記憶部３０１と、不揮発性記憶Ｉ／Ｆ３０３とを含む。不揮発性記憶部３０１および不揮発性記憶Ｉ／Ｆ３０３は、図２の例では画像記憶装置３００に含まれうる。
【００２８】
装置１０００は、デジタルカメラ、携帯電話、またはＰＣなど、撮像部と表示部とを有する各種の装置でありうる。なお、本開示の実施形態に係る装置構成は、上記の図２および図３に示した例には限られず、例えば以下に説明する各構成要素が、複数の装置に任意に分散された構成を含みうる。
【００２９】
撮像部１３５は、上述の通り、レンズ１２１から信号処理部１３３までの構成要素を含む。レンズ１２１、ＡＦ機構１２３、絞り１２５、および手振れ補正機構１２７までの作用によって撮像素子１２９の撮像面に被写体像が結像する。撮像素子１２９は、例えばＣＭＯＳ（Complementary  Metal  Oxide  Semiconductor）またはＣＣＤ（Charge  Coupled  Device）であり、被写体像を光電変換してアナログ画像信号を出力する。なお、撮像部１３５は、撮像素子１２９を駆動するためのタイミングジェネレータなどの図示しない構成要素をさらに含んでもよい。
【００３０】
撮像素子１２９によって出力されたアナログ画像信号は、撮像素子Ｉ／Ｆ１３１を経て信号処理部１３３に供給され、ここでデジタル画像信号に変換される。従って、図示された例において、撮像部１３５から出力される画像信号はデジタル画像信号である。なお、信号処理部１３３は、例えばＤＳＰ（Digital  Signal  Processor）などによって実現される。
【００３１】
ここで、撮像部１３５の構成要素のうち、例えばＡＦ機構１２３、絞り１２５、手振れ補正機構１２７、および撮像素子１２９は、その機能を発揮するために電力の供給を必要とする。そこで、電源制御Ｉ／Ｆ２０１を介して、これらの構成要素に適切な電力が供給される。後述するように、本開示の実施形態では、表示部２１７における画像の表示状態に応じて撮像部への電力供給が制御される。図示された例では、ＡＦ機構１２３、絞り１２５、手振れ補正機構１２７、および撮像素子１２９が、撮像部において電力の供給が制御される所定の部分に該当する。なお、これらの部分のすべてについて電力供給が制御されなくてもよく、またこれ以外の部分への電力供給がさらに制御されてもよい。
【００３２】
電源制御Ｉ／Ｆ２０１は、電源制御部２０３の制御に従って、上述した撮像部１３５の所定の部分に電力を供給する。電源制御部２０３は、後述するように、表示制御部２１５による表示モードの遷移において、撮像部１３５への電力供給を制御する。より具体的には、例えば、電源制御部２０３は、撮像部１３５の所定の部分への電力供給の有無を制御する。なお、電源制御部２０３は、例えばＣＰＵ（Central  Processing  Unit）によってソフトウェア的に実現されうる。
【００３３】
演算部２０５は、装置１０００の各部の動作を制御する。演算部２０５も、例えばＣＰＵによってソフトウェア的に実現されうる。
【００３４】
揮発性記憶部２０７は、例えば、ＣＰＵがここで説明する各部の機能を実現するために、不揮発性記憶部３０１から読み込んだプログラムを一時的に展開するのに用いられる。また、揮発性記憶部２０７には、ここで説明する各部の機能で用いられる各種のデータが一時的に格納されてもよい。
【００３５】
信号処理部２０９は、表示制御部２１５が表示部２１７に表示させるための画像信号を処理する。信号処理部２０９は、例えば撮像部１３５の信号処理部１３３と同様にＤＳＰを用いて実現されてもよいし、ＣＰＵを用いてソフトウェア的に実現されてもよい。
【００３６】
入力部２１１は、ユーザの操作入力に用いられる。入力部２１１は、例えば装置１０００の筐体に設けられたボタンなどの操作要素、または表示部２１７上に設けられたタッチセンサなどである。ユーザの操作入力は、例えば、表示部２１７に表示された画像を移動または選択したり、装置１０００の表示や撮像に関するモードを切り替えたりするためのものでありうる。
【００３７】
入力処理部２１３は、入力部２１１が取得したユーザの操作入力を取得し、これを装置１０００の各部に伝達する。例えば、操作入力は、一旦演算部２０５に伝達され、演算部２０５から適宜各部に伝達されてもよい。あるいは、操作入力は、入力処理部２１３から直接各部に伝達されてもよい。入力処理部２１３は、例えば、ＣＰＵによって実現されるソフトウェア的なインターフェースでありうる。
【００３８】
表示制御部２１５は、表示部２１７の表示を制御する。表示制御部２１５は、ＥＥ画像および再生画像を含む各種の画像を表示部２１７に表示させる。表示制御部２１５は、ＥＥ画像またはＥＥ画像に対して所定の関係を有する画像（所定の条件を満たす再生画像も含まれうる。以下、これらをＥＥ関連画像ともいう）と、その他の再生画像とを表示部２１７に表示させる。表示制御部２１５は、例えばＣＰＵ、またはＧＰＵ（Graphical  Processing  Unit）によってソフトウェア的に実現されうる。
【００３９】
ここで、以下の説明では、表示制御部２１５が上記の画像を表示部２１７に表示させる場合に、ＥＥ関連画像とその他の再生画像とが表示される第１の表示モードと、ＥＥ関連画像が表示されずにその他の再生画像が表示される第２の表示モードとを定義する。これらの表示モードの間で遷移が発生する場合に、その遷移の間において、電源制御部２０３によって撮像部１３５への電力供給の制御が実行される。なお、第１の表示モードと第２の表示モードとは、表示制御部２１５による表示制御の結果として現れるものでありえ、従って表示制御部２１５の処理手順では必ずしもこれらのモードが定義されていなくてもよい。
【００４０】
表示部２１７は、例えばＬＣＤまたは有機ＥＬ（Electro-Luminescence）ディスプレイなどでありうる。表示部２１７は、表示制御部２１５による制御に従って、各種の画像を表示する。
【００４１】
不揮発性記憶部３０１は、装置１０００において用いられる各種のデータを持続的に記録する。不揮発性記憶部３０１には、例えばＣＰＵによって実行されて上記の各部の機能をソフトウェア的に実現するためのプログラムや、撮像部１３５によって取得された撮像画像が記録される。不揮発性記憶部３０１に記録された撮像画像は、以後、再生画像として読み出され、表示制御部２１５によって表示部２１７に表示されうる。なお、不揮発性記憶部３０１は、装置１０００に内蔵されるハードディスクなどの記憶装置であってもよく、また装置１０００に装着可能な半導体メモリや各種ディスクなどのリムーバブル記憶媒体であってもよい。
【００４２】
不揮発性記憶Ｉ／Ｆ３０３は、不揮発性記憶部３０１へのデータの記録／読み出しに用いられるインターフェースである。例えば、不揮発性記憶部３０１が装置１０００に内蔵される記憶装置である場合、不揮発性記憶Ｉ／Ｆ３０３は、装置１０００の内部的なインターフェースでありうる。あるいは、不揮発性記憶部３０１がリムーバブル記憶媒体である場合、不揮発性記憶Ｉ／Ｆ３０３は、リムーバブル記憶媒体のドライバでありうる。
【００４３】
（３．表示態様に関する実施形態）
以下、本開示の実施形態の例について説明する。まず、表示態様に関するいくつかの実施形態について説明する。これらの実施形態は、主に、ＥＥ関連画像と、その他の再生画像との表示がどのように変化するかに関する。従って、これらの実施形態は、後述する内部処理に関する実施形態のうちの任意のものと組み合わせることが可能である。
【００４４】
（３−１．第１の実施形態）
まず、図４〜図９を参照して、本開示の第１の実施形態について説明する。
【００４５】
図４は、本開示の第１の実施形態における表示の第１の例について説明するための図である。図４を参照すると、表示制御部２１５は、ＥＥ画像４１０と、再生画像４２０ａ〜４２０ｃとを配列して表示部２１７に表示させている。ここで、ユーザ操作によって、再生画像４２０ａが選択された場合、再生画像４２０ａの表示が拡大される。それに伴って、ＥＥ画像４１０、および他の再生画像４２０ｂ，４２０ｃの表示は、再生画像４２０ａの背面に隠れる。このような表示は、例えば、再生画像４２０ａを表示する画面と、ＥＥ画像４１０、および再生画像４２０ｂ，４２０ｃを表示する画面とを分離し、これらの画面を透過的に重畳することによって実現される。
【００４６】
この場合、表示制御部２１５による表示部２１７の表示は、ＥＥ画像４１０と再生画像４２０ａ〜４２０ｃとが表示される第１の表示モードから、ＥＥ画像４１０が表示されずに再生画像４２０ａが表示される第２の表示モードへと遷移するといえる。
【００４７】
このような表示制御部２１５による表示モードの遷移において、電源制御部２０３は、撮像部１３５への電力供給の制御を実行する。より具体的には、電源制御部２０３は、拡大された再生画像４２０ａによってＥＥ画像４１０が全部遮蔽され、ＥＥ画像４１０が表示領域に含まれなくなった時点で、撮像部１３５への電力供給モードをカメラモードから再生モードに変更する。なお、以下の実施形態の説明において、カメラモードは、ＡＦ機構１２３、絞り１２５、手振れ補正機構１２７、および撮像素子１２９に電力が供給されるモードを意味し、再生モードは、これらに電力が供給されないモードを意味する。
【００４８】
再生画像４２０ａが選択されたとしても、まだＥＥ画像４１０が表示領域に残っている場合、例えばＥＥ画像４１０に映った被写体を視認したユーザによって撮像が実行される可能性がある。従って、この状態では、まだ撮像が可能な状態、すなわち撮像部１３５の各部に電力が供給された状態であることが望ましい。
【００４９】
一方、表示部２１７の表示において再生画像４２０ａが拡大され、それによってＥＥ画像４１０が全部遮蔽された場合、ユーザはＥＥ画像４１０に何が映っているかを視認しないため、撮像が実行される可能性は低い。従って、この状態では、撮像部１３５の所定の部分への電力の供給を停止し、電力を節約することが望ましい。
【００５０】
なお、上記の例において、電源制御部２０３は、ＥＥ画像４１０の全部が表示領域に含まれなくなった時点で電力供給の制御を実行するとは限らない。例えば、電源制御部２０３は、ＥＥ画像４１０の所定の割合以上が再生画像４２０ａによって遮蔽され、実質的に表示領域においてＥＥ画像４１０の内容を視認できなくなった時点で、電力供給の制御を実行してもよい。
【００５１】
図５は、本開示の第１の実施形態における表示の第２の例について説明するための図である。図５を参照すると、表示制御部２１５は、再生画像４２０ａを表示部２１７に表示させている。これは、ちょうど上記の図４に示す表示の変化が終了した状態と同じである。ここで、再生画像４２０ａに対する所定のユーザ操作が取得された場合、再生画像４２０ａの表示が縮小される。それに伴って、再生画像４２０ａの背面に隠れていたＥＥ画像４１０、および他の再生画像４２０ｂ，４２０ｃの表示が現れる。
【００５２】
この場合、表示制御部２１５による表示部２１７の表示は、ＥＥ画像４１０が表示されずに再生画像４２０ａが表示される第２の表示モードから、ＥＥ画像４１０と再生画像４２０ａ〜４２０ｃとが表示される第１の表示モードへと遷移するといえる。
【００５３】
このような表示制御部２１５による表示モードの遷移において、電源制御部２０３は、撮像部１３５への電力供給の制御を実行する。より具体的には、電源制御部２０３は、再生画像４２０ａの縮小によってＥＥ画像４１０の一部が遮蔽されなくなり、ＥＥ画像４１０が表示領域に含まれるようになった時点で、撮像部１３５への電力供給モードを再生モードからカメラモードに変更する。
【００５４】
ユーザが、再生画像４２０ａを縮小させる操作を実行し、ＥＥ画像４１０が表示領域に含まれるようになった場合、ユーザは、この後ＥＥ画像４１０を見ながら撮像を実行することを意図している可能性がある。従って、この時点で、撮像部１３５の各部への電力の供給を再開し、撮像が可能な状態に復帰することが望ましい。
【００５５】
なお、上記の例において、電源制御部２０３は、ＥＥ画像４１０が少しでも表示領域に含まれるようになった時点で電力供給の制御を実行するとは限らない。例えば、電源制御部２０３は、ＥＥ画像４１０の所定の割合以上が遮蔽されなくなり、実質的に表示領域においてＥＥ画像４１０の内容を視認できるようになった時点で、電力供給の制御を実行してもよい。
【００５６】
図６は、本開示の第１の実施形態における表示の第３の例について説明するための図である。図６を参照すると、上記の図４の例と同様に、表示制御部２１５は、ＥＥ画像４１０と、再生画像４２０ａ〜４２０ｃとを配列して表示部２１７に表示させている。ここで、ユーザ操作によってＥＥ画像４１０が選択された場合、ＥＥ画像４１０の表示が拡大される。それに伴って、再生画像４２０ａ〜４２０ｃの表示はＥＥ画像４１０の背面に隠れる。このような表示は、例えば、ＥＥ画像４１０を表示する画面と、再生画像４２０ａ〜４２０ｃを表示する画面とを分離し、これらの画面を透過的に重畳することによって実現される。
【００５７】
この場合、表示制御部２１５による表示部２１７の表示は、ＥＥ画像４１０と再生画像４２０ａ〜４２０ｃとが表示される第１の表示モードから、ＥＥ画像４１０が表示されて再生画像４２０ａ〜４２０ｃが表示されない表示モードへと遷移するといえる。本実施形態では、このような遷移の場合、電源制御部２０３は撮像部１３５への電力供給の制御を実行しない。従って、撮像部１３５への電力供給モードは、カメラモードのままである。
【００５８】
図７は、本開示の第１の実施形態における表示の第４の例について説明するための図である。図７を参照すると、表示制御部２１５は、ＥＥ画像４１０を表示部２１７に表示させている。これは、ちょうど上記の図６に示す表示の変化が終了した状態と同じである。ここで、ＥＥ画像４１０に対する所定のユーザ操作が取得された場合、ＥＥ画像４１０の表示が縮小される。それに伴って、ＥＥ画像４１０の背面に隠れていた再生画像４２０ａ〜４２０ｃの表示が現れる。
【００５９】
この場合、表示制御部２１５による表示部２１７の表示は、ＥＥ画像４１０が表示されて再生画像４２０ａ〜４２０ｃが表示されない表示モードから、ＥＥ画像４１０と再生画像４２０ａ〜４２０ｃとが表示される第１の表示モードに遷移するといえる。本実施形態では、このような遷移の場合も、電源制御部２０３は、撮像部１３５への電力供給の制御を実行しない。従って、撮像部１３５への電力供給モードは、カメラモードのままである。
【００６０】
（変形例）
図８は、本開示の第１の実施形態の変形例における表示の第１の例について説明するための図である。図８を参照すると、表示制御部２１５は、ＥＥ画像４１０ａ，４１０ｂと、再生画像４２０ａ〜４２０ｃとを配列して表示部２１７に表示させている。上記の図４〜図７の例との相違点として、この例では、複数のＥＥ画像４１０ａ，４１０ｂが表示されている。ＥＥ画像４１０ａ，４１０ｂは、それぞれ別の撮像部によって取得されたものであってもよい。この場合、図２に示す１０には複数の撮像装置１００が含まれ、そのそれぞれが表示装置２００にＥＥ画像の画像データを送信しうる。あるいは、図３に示す装置１０００には複数の撮像部１３５が含まれ、そのそれぞれがＥＥ画像の画像データを取得して表示制御部２１５に供給しうる。
【００６１】
あるいは、ＥＥ画像４１０ａ，４１０ｂは、同じ撮像部によって取得されたものであってもよい。この場合、ＥＥ画像４１０ａ，４１０ｂは、例えば同じ撮像部によって取得されたＥＥ画像を互いに異なる倍率で表示する画像でありうる。
【００６２】
ここで、ユーザ操作によって、再生画像４２０ａが選択された場合、再生画像４２０ａの表示が拡大される。それに伴って、ＥＥ画像４１０ａ，４１０ｂ、および他の再生画像４２０ａ，４２０ｃの表示は再生画像４２０ａの背面に隠れる。このような表示は、例えば、再生画像４２０ａを表示する画面と、ＥＥ画像４１０ａ，４１０ｂ、および再生画像４２０ｂ，４２０ｃを表示する画面とを分離し、これらの画面を透過的に重畳することによって実現される。
【００６３】
この場合、表示制御部による表示部２１７の表示は、ＥＥ画像４１０ａ，４１０ｂと再生画像４２０ａ〜４２０ｃとが表示される第１の表示モードから、ＥＥ画像４１０ａ，４１０ｂが表示されずに再生画像４２０ａが表示される第２の表示モードへと遷移するといえる。
【００６４】
このような表示制御部２１５による表示モードの遷移において、電源制御部は、撮像部１３５への電力供給の制御を実行する。例えば、電源制御部２０３は、ＥＥ画像４１０ａとＥＥ画像４１０ｂとのそれぞれについて、表示領域に含まれているかの判定を実行してもよい。この場合、拡大された再生画像４２０ａによってＥＥ画像４１０ａが全部遮蔽され、ＥＥ画像４１０ａが表示領域に含まれなくなった時点で、ＥＥ画像４１０ａを取得している撮像部への電力供給モードがカメラモードから再生モードに変更される。また、拡大された再生画像４２０ａによってＥＥ画像４１０ｂが全部遮蔽され、ＥＥ画像４１０ｂが表示領域に含まれなくなった時点で、ＥＥ画像４１０ｂを取得している撮像部への電力供給モードがカメラモードから再生モードに変更される。
【００６５】
あるいは、電源制御部２０３は、ＥＥ画像４１０ａとＥＥ画像４１０ｂとについて、表示領域に含まれているかの判定を一括して実行してもよい。この場合、拡大された再生画像４２０ａによってＥＥ画像４１０ａ，４１０ｂがいずれも全部遮蔽され、ＥＥ画像４１０ａもＥＥ画像４１０ｂも表示領域に含まれなくなった時点で、ＥＥ画像４１０ａ，４１０ｂを取得している撮像部のそれぞれへの電力供給モードがカメラモードから再生モードに変更される。
【００６６】
いずれの場合も、図示されているように、再生画像４２０ａの拡大によってＥＥ画像４１０ａ，４１０ｂのどちらも表示されなくなった状態では、各撮像部への電力供給モードは再生モードに設定される。
【００６７】
図９は、本開示の第１の実施形態の変形例における表示の第２の例について説明するための図である。図９を参照すると、表示制御部２１５は、再生画像４２０ａを表示部２１７に表示させている。これは、ちょうど上記の図８に示す表示の変化が終了した状態と同じである。ここで、再生画像４２０ａに対する所定のユーザ操作が取得された場合、再生画像４２０ａの表示が縮小される。それに伴って、再生画像４２０ａの背面に隠れていたＥＥ画像４１０ａ，４１０ｂ、および他の再生画像４２０ｂ，４２０ｃの表示が現れる。
【００６８】
この場合、表示制御部２１５による表示部２１７の表示は、ＥＥ画像４１０ａ，４１０ｂが表示されずに再生画像４２０ａが表示される第２の表示モードから、ＥＥ画像４１０ａ，４１０ｂと再生画像４２０ａ〜４２０ｃとが表示される第１の表示モードへと遷移するといえる。
【００６９】
このような表示制御部２１５による表示モードの遷移において、電源制御部２０３は、撮像部１３５への電力供給の制御を実行する。例えば、電源制御部２０３は、ＥＥ画像４１０ａとＥＥ画像４１０ｂとのそれぞれについて、表示領域に含まれているかの判定を実行してもよい。この場合、再生画像４２０ａの縮小によってＥＥ画像４１０ａの一部が遮蔽されなくなり、ＥＥ画像４１０ａが表示領域に含まれるようになった時点で、ＥＥ画像４１０ａを取得している撮像部への電力供給モードが再生モードからカメラモードに変更される。また、再生画像４２０ａの縮小によってＥＥ画像４１０ｂの一部が遮蔽されなくなり、ＥＥ画像４１０ｂが表示領域に含まれるようになった時点で、ＥＥ画像４１０ｂを取得している撮像部への電力供給モードが再生モードからカメラモードに変更される。
【００７０】
あるいは、電源制御部２０３は、ＥＥ画像４１０ａとＥＥ画像４１０ｂとについて、表示領域に含まれているかの判定を一括して実行してもよい。この場合、再生画像４２０ａの縮小によってＥＥ画像４１０ａ，４１０ｂのいずれかの一部が遮蔽されなくなり、ＥＥ画像４１０ａ，４１０ｂのいずれかが表示領域に含まれるようになった時点で、ＥＥ画像４１０ａ，４１０ｂを取得している撮像部のそれぞれへの電力供給モードが再生モードからカメラモードに変更される。
【００７１】
いずれも場合も、図示されているように、再生画像４２０ａの縮小によってＥＥ画像４１０ａ，４１０ｂがそれぞれ表示されるようになった状態では、各撮像部への電力供給モードはカメラモードに設定される。
【００７２】
複数のＥＥ画像が表示される場合の電源制御の第１の例について、以下で表１にまとめる。表１は、２つのＥＥ画像が同じ撮像部から取得された画像の、通常表示とズームされた表示である場合の例を示す。「表示」は、当該画像が表示部２１７の表示領域に含まれることを示し、「非表示」は、当該画像が表示部２１７の表示領域に含まれないことを示す。
【００７３】
【表１】
2013187094.tif 000003
【００７４】
さらに、複数のＥＥ画像が表示される場合の電源制御の第２の例について、以下で表２にまとめる。表２は、２つのＥＥ画像が異なる撮像部（カメラＡおよびカメラＢ）から取得される場合に、それぞれのカメラの撮像部の電力供給モードを個別に制御する場合と一括して制御する場合との例を示す。
【００７５】
【表２】
2013187094.tif 000004
【００７６】
以上で説明した本開示の第１の実施形態によれば、ＥＥ画像と再生画像とが混合して表示されうる場合に、ＥＥ画像の表示の有無によって撮像部への電力供給が制御される。これによって、例えば、ユーザが撮像を実行する可能性がある場合には撮像部への電力供給を維持する一方で、そうでない場合には撮像部への電力供給を削減または停止することで、ユーザの操作性を確保しながら無駄な電力供給を削減することができる。
【００７７】
（３−２．第２の実施形態）
次に、図１０および図１１を参照して、本開示の第２の実施形態について説明する。
【００７８】
図１０は、本開示の第２の実施形態における表示の例について説明するための図である。図１０を参照すると、表示制御部２１５は、画像のカレンダー表示５３０を表示部２１７に表示させている。カレンダー表示５３０は、不揮発性記憶部３０１に記録された再生画像を、それらの撮影時刻に基づいて、日付ごとに配列した表示である。図示された例において、カレンダー表示５３０の今日の日付にあたる領域には、ＥＥ画像５３１が表示されている。
【００７９】
このようなカレンダー表示５３０は、例えば再生画像をサムネイル表示する場合に用いられる。各日付の領域に表示されている静止画像または動画像は、例えばその日付の代表画像でありうる。その一方で、今日の日付にあたる領域にはＥＥ画像５３１が表示され、このＥＥ画像５３１を用いて撮像を実行することも可能である。
【００８０】
ここで、ユーザ操作によって、ＥＥ画像５３１を含む今日の日付にあたる領域が選択された場合、表示全体が左にスクロールし、今日の日付に対応する画像群が表示される。この画像群は、例えば、ＥＥ画像５１０と、再生画像５２０ａ〜５２０ｈとを含む。再生画像５２０ａ〜５２０ｈは、撮影日が今日である静止画像または動画像でありうる。この状態では、ＥＥ画像５１０が表示領域に含まれているため、電源制御部２０３は、撮像部１３５への電力供給モードをカメラモードのまま維持する。
【００８１】
さらに、ユーザ操作によって、表示された画像群のうちの再生画像５２０ａが選択された場合、表示全体がさらに左にスクロールし、拡大された再生画像５２１ａが表示される。それに伴って、ＥＥ画像４１０、および再生画像５２０ａ〜５２０ｈは、順次表示領域の左端から外に出ていく。
【００８２】
この場合、表示制御部２１５による表示部２１７の表示は、ＥＥ画像５１０と再生画像５２０ａ〜５２０ｈとが表示される第１の表示モードから、ＥＥ画像５１０が表示されずに再生画像５２１ａが表示される第２の表示モードへと遷移するといえる。
【００８３】
このような表示制御部２１５による表示モードの遷移において、電源制御部２０３は、撮像部１３５への電力供給の制御を実行する。より具体的には、電源制御部２０３は、拡大された再生画像５２１ａの表示に伴ってＥＥ画像５１０がスクロールし、その全部が表示領域の左端から外に出た時点で、撮像部１３５への電力供給モードをカメラモードから再生モードに変更する。
【００８４】
なお、上記の例において、電源制御部２０３は、ＥＥ画像５１０の全部が表示領域から出た時点で電力供給の制御を実行するとは限らない。例えば、電源制御部２０３は、ＥＥ画像５１０の所定の割合以上が表示領域の外に出て、実質的に表示領域においてＥＥ画像５１０の内容を視認できなくなった時点で、電力供給の制御を実行してもよい。
【００８５】
（変形例）
図１１は、本開示の第２の実施形態の変形例における表示の例について説明するための図である。図１１を参照すると、表示制御部２１５は、画像のカレンダー表示５３０を表示部２１７に表示させている。ここで、ユーザ操作によって、ＥＥ画像５３１を含む今日の日付にあたる領域が選択された場合、今日の日付に対応する画像群ウインドウ５３３が表示され、徐々に拡大される。画像群ウインドウ５３３が表示領域の全体に対応するサイズまで拡大されると、表示部２１７の表示は上記の図１０の例と同様の画像群が表示された状態になる。画像群は、ＥＥ画像５１０と、再生画像５２０ａ〜５２０ｈとを含む。この状態では、ＥＥ画像５１０が表示領域に含まれているため、電源制御部２０３は、撮像部１３５への電力供給モードをカメラモードのまま維持する。
【００８６】
さらに、ユーザ操作によって、表示された画像群のうちの再生画像５２０ａが選択された場合、再生画像５２０ａの表示が拡大される。それに伴って、ＥＥ画像５１０、および他の再生画像５２０ｂ〜５２０ｈの表示は、再生画像５２０ａの背後に隠れる。このような表示は、例えば、再生画像５２０ａを表示する画面と、ＥＥ画像５１０、および再生画像５２０ｂ〜５２０ｈを表示する画面とを分離し、これらの画面を透過的に重畳することによって実現される。
【００８７】
この場合、表示制御部２１５による表示部２１７の表示は、ＥＥ画像５１０と再生画像５２０ａ〜５２０ｈとが表示される第１の表示モードから、ＥＥ画像５１０が表示されずに再生画像５２０ａが表示される第２の表示モードへと遷移するといえる。
【００８８】
このような表示制御部２１５による表示モードの遷移において、電源制御部２０３は、撮像部１３５への電力供給の制御を実行する。電源制御部２０３は、拡大された再生画像５２０ａによってＥＥ画像５１０が全部遮蔽され、ＥＥ画像５１０が表示領域に含まれなくなった時点で、撮像部１３５への電力供給モードをカメラモードから再生モードに変更する。
【００８９】
以上で説明した本開示の第２の実施形態によれば、ＥＥ画像を含む画像のカレンダー表示と、ＥＥ画像の表示の有無による撮像部への電力供給の制御とが組み合わせられる。これによって、カレンダー表示を用いることによる画像の視認性および操作性を維持する一方で、無駄な電力供給を削減することができる。
【００９０】
（３−３．第３の実施形態）
次に、図１２および図１３を参照して、本開示の第３の実施形態について説明する。
【００９１】
図１２は、本開示の第３の実施形態における表示の例について説明するための図である。図１２を参照すると、表示制御部２１５は、画像の顔属性表示６３０を表示部２１７に表示させている。顔属性表示６３０は、不揮発性記憶部３０１に記録された再生画像を、それらに被写体として含まれる顔ごとに配列した表示である。図示された例において、ＥＥ画像に被写体として含まれる顔と同じ顔が含まれる画像群に対応する領域には、ＥＥ画像６３１が表示されている。
【００９２】
このような顔属性表示６３０は、例えば再生画像をサムネイル表示する場合に用いられる。各顔の領域に表示されている静止画像または動画像は、例えばそれぞれの顔が被写体として含まれる代表画像でありうる。その一方で、現在映っている顔にあたる領域にはＥＥ画像６３１が表示され、このＥＥ画像６３１を用いて撮像を実行することも可能である。
【００９３】
ここで、ユーザ操作によって、ＥＥ画像６３１を含む現在の顔にあたる領域が選択された場合、表示全体が左にスクロールし、ＥＥ画像と同じ顔を含む画像群が表示される。この画像群は、例えば、ＥＥ画像６１０と、再生画像６２０ａ〜６２０ｈとを含む。再生画像６２０ａ〜６２０ｈは、ＥＥ画像６１０に被写体として含まれる顔と同じ顔を含む静止画像または動画像でありうる。この状態では、ＥＥ画像６１０が表示領域に含まれているため、電源制御部２０３は、撮像部１３５への電力供給モードをカメラモードのまま維持する。
【００９４】
さらに、ユーザ操作によって、表示された画像群のうちの再生画像６２０ａが選択された場合、表示全体がさらに左にスクロールし、拡大された再生画像６２１ａが表示される。それに伴って、ＥＥ画像４１０、および再生画像６２０ａ〜６２０ｈは、順次表示領域の左端から外に出ていく。
【００９５】
この場合、表示制御部２１５による表示部２１７の表示は、ＥＥ画像６１０と再生画像６２０ａ〜６２０ｈとが表示される第１の表示モードから、ＥＥ画像６１０が表示されずに再生画像６２１ａが表示される第２の表示モードへと遷移するといえる。
【００９６】
このような表示制御部２１５による表示モードの遷移において、電源制御部２０３は、撮像部１３５への電力供給の制御を実行する。より具体的には、電源制御部２０３は、拡大された再生画像６２１ａの表示に伴ってＥＥ画像６１０がスクロールし、その全部が表示領域の左端から外に出た時点で、撮像部１３５への電力供給モードをカメラモードから再生モードに変更する。
【００９７】
なお、上記の例において、電源制御部２０３は、ＥＥ画像６１０の全部が表示領域から出た時点で電力供給の制御を実行するとは限らない。例えば、電源制御部２０３は、ＥＥ画像６１０の所定の割合以上が表示領域の外に出て、実質的に表示領域においてＥＥ画像６１０の内容を視認できなくなった時点で、電力供給の制御を実行してもよい。
【００９８】
図１３は、本開示の第３の実施形態における画像の属性分類の例について説明するための図である。図１３を参照すると、本実施形態において、再生画像は、顔全体、顔の一部（目など）、表情、特定人物、特定の風貌（サングラス、マスク、または帽子）などによって分類される。従って、例えばこれらの属性が共通する静止画像および動画像は、顔属性表示６３０において同じ領域に表示されうる。また、これらの属性がＥＥ画像と共通する静止画像および動画像は、顔属性表示６３０においてＥＥ画像６３１が選択された場合に、ＥＥ画像６１０とともに再生画像６２０ａ〜６２０ｈとして表示されうる。
【００９９】
以上で説明した本開示の第３の実施形態によれば、ＥＥ画像を含む画像の顔属性表示と、ＥＥ画像の表示の有無による撮像部への電力供給の制御とが組み合わせられる。これによって、顔属性表示を用いることによる画像の視認性および操作性を維持する一方で、無駄な電力供給を削減することができる。
【０１００】
（３−４．第４の実施形態）
次に、図１４を参照して、本開示の第４の実施形態について説明する。
【０１０１】
図１４は、本開示の第４の実施形態における表示の例について説明するための図である。図１４を参照すると、表示制御部２１５は、画像の位置属性表示７３０を表示部２１７に表示させている。位置属性表示７３０は、不揮発性記憶部３０１に記録された再生画像を、それらの撮影位置に基づいて、場所ごとに配列した表示である。図示された例において、再生画像は、地図上の各場所に対応する位置に表示されている。また、地図上の現在地にあたる位置には、ＥＥ画像７３１が表示されている。
【０１０２】
このような位置属性表示７３０は、例えば再生画像をサムネイル表示する場合に用いられる。各場所の領域に表示されている静止画像または動画像は、例えばその場所の代表画像でありうる。その一方で、現在地にあたる位置にはＥＥ画像７３１が表示され、このＥＥ画像７３１を用いて撮像を実行することも可能である。
【０１０３】
ここで、ユーザ操作によって、ＥＥ画像７３１が選択された場合、表示全体が左にスクロールし、現在地に対応する画像群が表示される。この画像群は、例えば、ＥＥ画像７１０と、再生画像７２０ａ〜７２０ｈとを含む。再生画像７２０ａ〜７２０ｈは、撮影位置が現在地に近い静止画像または動画像でありうる。この状態では、ＥＥ画像７１０が表示領域に含まれているため、電源制御部２０３は、撮像部１３５への電力供給モードをカメラモードのまま維持する。
【０１０４】
さらに、ユーザ操作によって、表示された画像群のうちの再生画像７２０ａが選択された場合、表示全体がさらに左にスクロールし、拡大された再生画像７２１ａが表示される。それに伴って、ＥＥ画像４１０、および再生画像７２０ａ〜７２０ｈは、順次表示領域の左端から外に出ていく。
【０１０５】
この場合、表示制御部２１５による表示部２１７の表示は、ＥＥ画像７１０と再生画像７２０ａ〜７２０ｈとが表示される第１の表示モードから、ＥＥ画像７１０が表示されずに再生画像７２１ａが表示される第２の表示モードへと遷移するといえる。
【０１０６】
このような表示制御部２１５による表示モードの遷移において、電源制御部２０３は、撮像部１３５への電力供給の制御を実行する。より具体的には、電源制御部２０３は、拡大された再生画像７２１ａの表示に伴ってＥＥ画像７１０がスクロールし、その全部が表示領域の左端から外に出た時点で、撮像部１３５への電力供給モードをカメラモードから再生モードに変更する。
【０１０７】
なお、上記の例において、電源制御部２０３は、ＥＥ画像７１０の全部が表示領域から出た時点で電力供給の制御を実行するとは限らない。例えば、電源制御部２０３は、ＥＥ画像７１０の所定の割合以上が表示領域の外に出て、実質的に表示領域においてＥＥ画像７１０の内容を視認できなくなった時点で、電力供給の制御を実行してもよい。
【０１０８】
以上で説明した本開示の第４の実施形態によれば、ＥＥ画像を含む画像の位置属性表示と、ＥＥ画像の表示の有無による撮像部への電力供給の制御とが組み合わせられる。これによって、位置属性表示を用いることによる画像の視認性および操作性を維持する一方で、無駄な電力供給を削減することができる。
【０１０９】
（３−５．第５の実施形態）
次に、図１５〜図１８を参照して、本開示の第５の実施形態について説明する。
【０１１０】
図１５は、本開示の第５の実施形態における表示の例について説明するための図である。図１５を参照すると、表示制御部２１５は、ＥＥ画像８１０と、再生画像８２０ａ〜８２０ｃとを配列して表示部２１７に表示させている。ここで、ユーザ操作によって、画面が上向きにスライドさせられた場合、表示全体が上にスクロールする。それに伴って、ＥＥ画像８１０が表示領域の上端から外に出ていく。その一方で、再生画像８２０ｄ〜８２０ｉが、表示領域の下端から新たに現れる。
【０１１１】
この場合、表示制御部２１５による表示部２１７の表示は、ＥＥ画像８１０と再生画像８２０ａ〜８２０ｃとが表示される第１の表示モードから、ＥＥ画像８１０が表示されずに再生画像８２０ａ〜８２０ｉが表示される第２の表示モードへと遷移するといえる。
【０１１２】
このような表示制御部２１５による表示モードの遷移において、電源制御部２０３は、撮像部１３５への電力供給の制御を実行する。より具体的には、電源制御部２０３は、表示全体のスクロールに伴ってＥＥ画像８１０の全部が表示領域の上端から外に出た時点で、撮像部１３５への電力供給モードをカメラモードから再生モードに変更する。
【０１１３】
なお、上記の例において、電源制御部２０３は、ＥＥ画像８１０の全部が表示領域から出た時点で電力供給の制御を実行するとは限らない。例えば、電源制御部２０３は、ＥＥ画像８１０の所定の割合以上が表示領域の外に出て、実質的に表示領域においてＥＥ画像８１０の内容を視認できなくなった時点で、電力供給の制御を実行してもよい。
【０１１４】
図１６は、本開示の第５の実施形態におけるスクロール操作について説明するための図である。図１６を参照すると、本実施形態では、例えばＥＥ画像８１０と再生画像８２０ａ〜８２０ｉが表示されている状態でのスクロール操作と、単一の再生画像８２１が表示されている状態でのスクロール操作とが、互いに異なる結果をもたらす。前者の場合、例えば上記の図１５の例で説明したように、複数の画像を含む表示全体がスクロールし、ＥＥ画像８１０が表示領域に含まれるか否かによって撮像部１３５への電力供給の制御が実行される。一方、後者の場合、例えば表示されている再生画像８２１が拡大または縮小されたり、再生画像８２１の中でズームインして表示される部分がスクロールの向きに従って移動したりする。
【０１１５】
このようなスクロール操作による機能の相違は、例えば、上記の電源制御の例と同様に、表示制御部２１５による表示部２１７の表示に所定の表示モードを設定し、それぞれの表示モードに対応してスクロール操作に割り当てることによって実現されうる。
【０１１６】
（第１の変形例）
図１７は、本開示の第５の実施形態の第１の変形例における表示の例について説明するための図である。図１７を参照すると、表示制御部２１５は、ＥＥ画像８１０と、再生画像８２０ａ〜８２０ｃとを配列して表示部２１７に表示させている。ここで、ユーザ操作によって、画面が上向きにスライドさせられた場合、表示全体が上にスクロールする。それに伴って、ＥＥ画像８１０が表示領域の上端から外に出ていく。その一方で、再生画像８２０ｐと、再生画像８２０ｅ〜８２０ｉとが、表示領域の下端から新たに現れる。
【０１１７】
ここで、再生画像８２０ｐは、ＥＥ画像８１０に共通する属性を有する再生画像である。再生画像８２０ｐとＥＥ画像８１０との間で共通する属性は、例えば、上記の実施形態で説明したような、撮影時刻、撮影位置、または被写体に関する属性でありうる。再生画像８２０ｐとＥＥ画像８１０とは、共通する属性を１つだけ有していてもよいし、複数有していてもよい。
【０１１８】
本変形例では、上記の図１５の例とは異なり、ＥＥ関連画像が、ＥＥ画像そのものと、ＥＥ画像に共通する属性を有する再生画像とを含む。図示された例において、表示制御部２１５による表示部２１７の表示は、ＥＥ画像８１０と再生画像８２０ａ〜８２０ｃとが表示される状態から、ＥＥ画像８１０と再生画像８２０ｐとが両方表示される状態を経て、ＥＥ画像８１０は表示されないものの再生画像８２０ｐが表示され、さらに再生画像８２０ａ〜８２０ｃ，８２０ｅ〜８２０ｉが表示される状態へと変化する。
【０１１９】
上記のＥＥ関連画像の定義に従えば、この表示状態の変化を通じて、表示モードは、ＥＥ関連画像が表示される第１の表示モードのまま維持されているといえる。従って、上記のような表示の変化にかかわらず、電源制御部２０３は、撮像部１３５への電力供給モードをカメラモードのまま維持する。
【０１２０】
この後、ユーザのさらなる操作によって再生画像８２０ｐも表示領域の外に出た場合、他にＥＥ画像８１０に共通する属性を有する再生画像が表示されていなければ、電源制御部２０３が撮像部１３５への電力供給モードをカメラモードから再生モードに切り替える。なお、撮像部１３５への電力供給モードが再生モードになった場合のＥＥ画像の属性の取得については、後述する。
【０１２１】
ユーザが表示全体を上にスクロールさせ、ＥＥ画像８１０が表示領域に含まれなくなったとしても、再生画像８２０ｐのようにＥＥ画像８１０に共通する属性を有する再生画像がなおも表示されている場合、ユーザが再びＥＥ画像８１０を表示させて撮像を実行する可能性は、表示される再生画像がＥＥ画像８１０に共通する属性を有さない場合に比べて高いと考えられる。従って、そのような再生画像８２０ｐが表示されている間は、撮像部１３５への電力の供給を維持し、ＥＥ画像８１０が再び表示されて撮像が実行されるのに備えることが望ましい。
【０１２２】
（第２の変形例）
図１８は、本開示の第５の実施形態の第２の変形例における表示の例について説明するための図である。図１８を参照すると、表示制御部２１５は、再生画像８２０ａ〜８２０ｉを表示部２１７に表示させている。これは、ちょうど上記の図１５に示す表示の変化が終了した状態と同じである。ここで、ユーザ操作によって、画面が下向きにスライドさせられた場合、表示全体が下にスクロールする。それに伴って、再生画像８２０ｄ〜８２０ｉが、順次、表示領域の下端から外に出ていく。その一方で、ＥＥ代替画像８４０が、表示領域の上端から新たに現れる。
【０１２３】
上記の他の実施形態と同様に、上記の図１５の例でも、例えば表示のスクロールによってＥＥ画像８１０が表示領域の上端から再び現れた場合には、電源制御部２０３によって撮像部１３５への電力供給モードが再生モードからカメラモードに変更される。しかしながら、電力供給モードを切り替えて、撮像部１３５の各部への電力供給を再開しても、各部の起動にかかる時間のために、すぐにはＥＥ画像８１０が表示されない場合がある。
【０１２４】
そのような場合、本変形例の構成が適用されうる。本来ＥＥ画像８１０が表示される領域が表示領域に含まれるにもかかわらず、何らかの原因、例えば撮像部１３５への電力供給が再開されたばかりでまだ画像が取得されていないなどのためにＥＥ画像８１０が表示されない場合、代わりにＥＥ代替画像８４０が表示されうる。電力供給の再開によって撮像部１３５の各部が起動し、画像の取得が可能になると、ＥＥ代替画像８４０に代えてＥＥ画像８１０が表示される。
【０１２５】
つまり、本変形例では、ＥＥ関連画像が、ＥＥ画像そのものと、ＥＥ画像の代替として表示される画像であるＥＥ代替画像とを含む。図示された例において、表示制御部２１５による表示部２１７の表示は、ＥＥ画像８１０もＥＥ代替画像８４０も表示されずに再生画像８２０ａ〜８２０ｉが表示される状態から、ＥＥ画像８１０の代替としてＥＥ代替画像８４０が表示される状態を経て、ＥＥ画像８１０と再生画像８２０ａ〜８２０ｃとが表示される状態へと変化する。
【０１２６】
上記のＥＥ関連画像の定義に従えば、この表示状態の変化を通じて、表示モードは、ＥＥ代替画像８４０が表示され始めた時点で、ＥＥ関連画像が表示されない第２の表示モードから、ＥＥ関連画像が表示される第１の表示モードへと遷移しているといえる。撮像部１３５への電力供給が停止されている間は、実際のＥＥ画像は取得されないため、本変形例のようにＥＥ画像の代替として表示される画像もＥＥ関連画像に含めることで、表示モードの遷移を適切に定義することができる。
【０１２７】
以上で説明した本開示の第５の実施形態によれば、画像の表示が画像の選択による拡大または縮小によって変化する場合と同様に、画面に対するスライドまたはスクロール動作によって変化する場合にも、ＥＥ関連画像の表示の有無によって撮像部への電力供給が制御される。これによって、ユーザの操作性を確保しながら無駄な電力供給を削減することができる。
【０１２８】
（３−６．第６の実施形態）
次に、図１９を参照して、本開示の第６の実施形態について説明する。
【０１２９】
図１９は、本開示の第６の実施形態における表示の例について説明するための図である。図１９を参照すると、表示制御部２１５は、ＥＥ画像９１０を表示部２１７に表示させている。ここで、ユーザ操作によって、画面が左向きにスライドさせられた場合、表示全体が左にスクロールする。それに伴って、表示領域の右端から再生画像９２０が現れる。一方、ＥＥ画像９１０は、表示領域の左端から徐々に外に出ていき、やがてその全部が表示領域から外れる。このとき、表示部２１７には再生画像９２０が表示される。
【０１３０】
この場合、表示制御部２１５による表示部２１７の表示は、ＥＥ画像９１０が表示されるモードから、ＥＥ画像９１０と再生画像９２０とが表示される第１の表示モード、そしてＥＥ画像９１０が表示されずに再生画像９２０が表示される第２の表示モードへと遷移するといえる。
【０１３１】
上記の表示モードの遷移のうち、第１の表示モードから第２の表示モードへの遷移において、電源制御部２０３は、撮像部１３５への電力供給の制御を実行する。より具体的には、電源制御部２０３は、表示全体のスクロールに伴ってＥＥ画像９１０の全部が表示領域の左端から外に出た時点で、撮像部１３５への電力供給モードをカメラモードから再生モードに変更する。
【０１３２】
なお、上記の例において、電源制御部２０３は、ＥＥ画像９１０の全部が表示領域から出た時点で電力供給の制御を実行するとは限らない。例えば、電源制御部２０３は、ＥＥ画像９１０の所定の割合以上が表示領域の外に出て、実質的に表示領域においてＥＥ画像９１０の内容を視認できなくなった時点で、電力供給の制御を実行してもよい。
【０１３３】
また、上記の例における最初の表示モード、すなわち再生画像９２０が表示されずにＥＥ画像９１０が表示されているモードは、第１のモードや第２のモードとしては定義されないが、主にＥＥ画像９１０が表示される状態であることから、撮像部１３５への電力供給モードはカメラモードに設定されている。
【０１３４】
以上で説明した本開示の第６の実施形態によれば、画像の表示が画面に対する左右方向スライドまたはスクロール動作によって変化する場合にも、上下方向の場合と同様にＥＥ関連画像の表示の有無によって撮像部への電力供給が制御される。これによって、ユーザの操作性を確保しながら無駄な電力供給を削減することができる。
【０１３５】
（３−７．第７の実施形態）
次に、図２０を参照して、本開示の第７の実施形態について説明する。
【０１３６】
図２０は、本開示の第７の実施形態における表示の例について説明するための図である。図２０を参照すると、表示制御部２１５は、ＥＥ画像１０１０と、再生静止画像１０２１と、再生動画像１０２３とを配列して表示部２１７に表示させている。ここで、ユーザ操作によって画面が上向きにスライドさせられた場合、表示全体が上にスクロールする。それに伴って、ＥＥ画像１０１０と再生静止画像１０２１の一部とが表示領域の上端から外に出ていく。その一方で、新たな再生静止画像１０２１が、表示領域の下端から現れる。
【０１３７】
この場合、表示制御部２１５による表示部２１７の表示は、ＥＥ画像１０１０と再生静止画像１０２１および再生動画像１０２３とが表示される第１の表示モードから、ＥＥ画像１０１０が表示されずに再生静止画像１０２１および再生動画像１０２３が表示される第２のモードへと遷移するといえる。
【０１３８】
このような表示制御部２１５による表示モードの遷移において、電源制御部２０３は、撮像部１３５への電力供給の制御を実行する。より具体的には、電源制御部２０３は、表示全体のスクロールに伴ってＥＥ画像１０１０の全部が表示領域の上端から外に出た時点で、撮像部１３５への電力供給モードをカメラモードから再生モードに変更する。
【０１３９】
なお、上記の例において、電源制御部２０３は、ＥＥ画像１０１０の全部が表示領域から出た時点で電力供給の制御を実行するとは限らない。例えば、電源制御部２０３は、ＥＥ画像１０１０の所定の割合以上が表示領域の外に出て、実質的に表示領域においてＥＥ画像１０１０の内容を視認できなくなった時点で、電力供給の制御を実行してもよい。
【０１４０】
本実施形態が上記の他の実施形態とは異なる点として、ＥＥ画像１０１０、再生静止画像１０２１、および再生動画像１０２３が、それぞれ異なる表示枠を伴って表示されている点がある。例えばＥＥ画像１０１０は、カメラを模した表示枠とともに表示される。再生静止画像１０２１は、銀塩写真の縁部分を模した表示枠とともに表示される。また、再生動画像１０２３は、映画のフィルムを模した表示枠とともに表示される。
【０１４１】
これによって、本実施形態では、ＥＥ画像１０１０、再生静止画像１０２１、および再生動画像１０２３が混在して表示される場合でも、ユーザがそれぞれの画像の種類を容易に認識することができる。再生静止画像１０２１や再生動画像１０２３とともにＥＥ画像１０１０が表示されていることがユーザに容易に把握されると、ＥＥ画像１０１０が表示されている場合に撮像が実行される可能性がより高くなると考えられるため、上記のような電源制御部２０３による撮像部１３５への電力供給の制御は有効である。
【０１４２】
（３−８．第８の実施形態）
次に、図２１および図２２を参照して、本開示の第８の実施形態について説明する。
【０１４３】
図２１は、本開示の第８の実施形態における表示の第１の例について説明するための図である。図２１を参照すると、表示制御部２１５は、ＥＥ画像１１１０と、再生画像１１２０ａ〜１１２０ｈとを配列して表示部２１７に表示させている。ここで、ユーザ操作によって再生画像１１２０ａが拡大された場合、再生画像４２０ａの表示を含む画像群全体の表示が、再生画像４２０ａを中心にして拡大される。それに伴って、ＥＥ画像１１１０、および他の再生画像４２０ｂ〜４２０ｈの表示は、表示領域の端から順次外に出ていく。最終的には、表示部２１７には拡大された再生画像１１２０ａが単独で表示される。
【０１４４】
この場合、表示制御部２１５による表示部２１７の表示は、ＥＥ画像１１１０と再生画像１１２０ａ〜１１２０ｈとが表示される第１の表示モードから、ＥＥ画像１１１０が表示されずに再生画像１１２０ａが表示される第２の表示モードへと遷移するといえる。
【０１４５】
このような表示制御部２１５による表示モードの遷移において、電源制御部２０３は、撮像部１３５への電力供給の制御を実行する。より具体的には、電源制御部２０３は、画像群全体の表示の拡大に伴ってＥＥ画像１１１０の全部が表示領域の端から外に出た時点で、撮像部１３５への電力供給モードをカメラモードから再生モードに変更する。
【０１４６】
なお、上記の例において、電源制御部２０３は、ＥＥ画像１１１０の全部が表示領域から出た時点で電力供給の制御を実行するとは限らない。例えば、電源制御部２０３は、ＥＥ画像１１１０の所定の割合以上が表示領域の外に出て、実質的に表示領域においてＥＥ画像１１１０の内容を視認できなくなった時点で、電力供給の制御を実行してもよい。
【０１４７】
図２２は、本開示の第８の実施形態における表示の第２の例について説明するための図である。図２２を参照すると、表示制御部２１５は、再生画像１１２０ａを表示部２１７に表示させている。これは、ちょうど上記の図２１に示す表示の変化が終了した状態と同じである。ここで、ユーザ操作によって再生画像１１２０ａが縮小された場合、再生画像４２０ａの表示を含む画像群全体の表示（図２１に示す表示の変化によって、再生画像１１２０ａ以外は表示領域の外に出ている）が、再生画像４２０ａを中心にして縮小される。それに伴って、ＥＥ画像１１１０、および他の再生画像４２０ｂ〜４２０ｈの表示が、表示領域の端から順次現れる。最終的には、表示部２１７にはＥＥ画像１１１０と再生画像１１２０ａ〜１１２０ｈとが表示される。
【０１４８】
この場合、表示制御部２１５による表示部２１７の表示は、ＥＥ画像１１１０が表示されずに再生画像１１２０ａが表示される第２の表示モードから、ＥＥ画像１１１０と再生画像１１２０ａ〜１１２０ｈとが表示される第１の表示モードへと遷移するといえる。
【０１４９】
このような表示制御部２１５による表示モードの遷移において電源制御部２０３は、撮像部１３５への電力供給の制御を実行する。より具体的には、電源制御部２０３は、画像群全体の表示の拡大に伴ってＥＥ画像１１１０の一部が表示領域に現れた時点で、撮像部１３５への電力供給モードを再生モードからカメラモードに変更する。
【０１５０】
なお、上記の例において、電源制御部２０３は、ＥＥ画像１１１０が少しでも表示領域に現れた時点で電力供給の制御を実行するとは限らない。例えば、電源制御部２０３は、ＥＥ画像１１１０の所定の割合以上が表示領域に現れ、実質的に表示領域においてＥＥ画像１１１０の内容を視認できるようになった時点で、電力供給の制御を実行してもよい。
【０１５１】
以上で説明した本開示の第８の実施形態によれば、画像の表示が画像の選択による拡大または縮小によって変化する場合と同様に、画像群全体の拡大または縮小によって変化する場合にも、ＥＥ関連画像の表示の有無によって撮像部への電力供給が制御される。これによって、ユーザの操作性を確保しながら無駄な電力供給を削減することができる。
【０１５２】
（４．内部処理に関する実施形態）
続いて、内部処理に関するいくつかの実施形態について説明する。これらの実施形態は、上記の表示態様に関する実施形態で例示されたような表示部の表示の変化とそれに伴う撮像部の電源制御とを、どのような処理によって実現するかに関する。従って、これらの実施形態は、上述した表示態様に関する実施形態のうちの任意のものと組み合わせることが可能である。
【０１５３】
（４−１．第９の実施形態）
まず、図２３〜図３３を参照して、本開示の第９の実施形態について説明する。本開示の第９の実施形態は、画面への領域設定に関する。上記の各実施形態では、ＥＥ関連画像と表示部２１７の表示領域との位置関係に応じて撮像部１３５への電力供給が制御されたが、本実施形態は、こうした制御が実行される各実施形態、すなわち上記の各実施形態のいずれにも適用可能である。
【０１５４】
図２３は、本開示の第９の実施形態における画面構成の例について説明するための図である。図２３を参照すると、本実施形態で表示制御部２１５が表示部２１７に表示させる画面は、互いに重畳して表示される複数の画面１２０１，１２１１，１２２１，１２３１を含む。例えば、上記の第１の実施形態などで説明したように、選択された画像を拡大させて他の画像の前面に表示することは、このように複数の画面を透過的に重畳することによって実現されうる。
【０１５５】
なお、これらの画面は、表示部２１７の表示を実現するために仮想的に設定される画面であり、必ずしもその全部がユーザに視認可能に表示されるわけではない。例えば、上記の第８の実施形態などで説明したように、画面を表示領域の範囲を超えて設定し、これを拡大または縮小することによって、特定の画像を拡大して表示したり、各画像を縮小して画像群の全体を表示したりすることが可能である。また、図２３は設定されうる画面の例を示すものであり、必ずしも４つの画面が重畳して表示されるとは限らない。例えば、表示部２１７に表示させる内容に応じて、画面１２０１だけが設定されてもよいし、また２、３、または５以上の画面が設定されてもよい。
【０１５６】
（４−１−１．最前面の画面の例）
図２４は、本開示の第９の実施形態において第１の画面に設定される領域の例について説明するための図である。図２４には、第１の画面１２０１が示されている。上記の図２３にも示されるように、第１の画面１２０１は、複数の画面の中で最前面に表示される画面である。画面が１つしか設定されない場合、すなわち画面の重畳を利用しない２次元表示の場合にも、この第１の画面１２０１と同様の画面が設定される。
【０１５７】
第１の画面１２０１には、表示領域１２０３と、ＯＮ領域１２０５と、ＯＦＦ領域１２０７とが設定される。表示領域１２０３は、表示部２１７に表示され、ユーザによって視認される領域である。
【０１５８】
ＯＮ領域１２０５は、その中にＥＥ関連画像が含まれる場合に、表示モードが第１の表示モードに遷移したと判定され、電源制御部２０３によって撮像部１３５への電力供給モードがカメラモードに設定される領域である。
【０１５９】
ＯＦＦ領域１２０７は、その中にＥＥ関連画像が含まれない場合に、表示モードが第２の表示モードに遷移したと判定され、電源制御部２０３によって撮像部１３５への電力供給モードが再生モードに設定される領域である。
【０１６０】
なお、上記の各実施形態において表示領域について説明したのと同様に、“領域の中にＥＥ関連画像が含まれる”とは、領域の中にＥＥ関連画像がわずかな部分でも含まれることを意味してもよいし、領域の中にＥＥ関連画像の所定割合以上の部分が含まれることを意味してもよい。また、“領域の中にＥＥ関連画像が含まれない”とは、領域の中にＥＥ関連画像が全く含まれないことを意味してもよいし、領域の中にＥＥ関連画像の所定割合未満の部分しか含まれないことを意味してもよい。
【０１６１】
なお、以下の説明では、簡単のために、“領域の中にＥＥ関連画像が含まれる”が領域の中にＥＥ関連画像がわずかな部分でも含まれることを意味し、“領域の中にＥＥ関連画像が含まれない”が領域の中にＥＥ関連画像が全く含まれないことを意味するものとして説明する。しかし、上記のように、かかる説明は、これらの語句についての別の解釈を排除するものではない。
【０１６２】
例えば、上記の各実施形態で例示されたように、ＥＥ関連画像が、画面のスライドや、画面全体の拡大または縮小によって、表示領域１２０３に出入りする場合を考える。
【０１６３】
（ＥＥ関連画像が出ていく場合）
この場合、まず、ＥＥ関連画像が完全に表示領域１２０３の中にある状態では、電力供給モードはカメラモードである。そこから、ＥＥ関連画像が外向きに移動し、表示領域１２０３に含まれなくなったとしても、ＥＥ関連画像がＯＦＦ領域１２０７に含まれている限り、電力供給モードはカメラモードに維持される。ＥＥ関連画像が表示領域１２０３に近い位置にあるうちは、そこからＥＥ関連画像が逆向きに移動するような操作が取得され、ＥＥ関連画像が再び表示領域１２０３に含まれるようになる可能性が比較的高いためである。
【０１６４】
上述のように、一旦電力供給モードが再生モードになると、それをカメラモードに戻してＥＥ画像が取得可能になるまでに多少の時間がかかる場合がある。そこで、上記のように、表示領域１２０３を包含する領域としてＯＦＦ領域１２０７を設定し、このＯＦＦ領域１２０７とＥＥ関連画像との位置関係を電源制御に利用すれば、無駄なモード切替えによるユーザの待ち時間の発生などを防ぐことができる。
【０１６５】
一方、ＥＥ関連画像がさらに外向きに移動し、ＯＦＦ領域１２０７にも含まれなくなった場合、電力供給モードは再生モードに切り替えられる。ＥＥ関連画像が表示領域１２０３からある程度遠ざかれば、ＥＥ関連画像を表示領域１２０３に戻すような操作が取得される可能性は低く、またそのような操作が取得されたとしても、ＥＥ関連画像が再び表示領域１２０３に入るまでには多少の時間がかかり、モード切替えによるユーザの待ち時間が発生する可能性も低いためである。
【０１６６】
（ＥＥ関連画像が入ってくる場合）
この場合、まず、ＥＥ関連画像が表示領域１２０３から遠く、ＯＮ領域１２０５にも含まれていない状態では、電力供給モードは再生モードである。そこから、ＥＥ関連画像が表示領域１２０３に向けて移動し、ＯＮ領域１２０５に含まれるようになった時点で、ＥＥ関連画像がまだ表示領域１２０３には含まれていなくても、電力供給モードは再生モードからカメラモードに切り替えられる。ＥＥ関連画像がＯＮ領域１２０５に含まれる程度まで表示領域１２０３に近づいていれば、そのままＥＥ関連画像が移動して表示領域１２０３に含まれるようになる可能性が高いためである。
【０１６７】
上述のように、一旦電力供給モードが再生モードになると、それをカメラモードに戻してＥＥ画像が取得可能になるまでに多少の時間がかかる場合がある。そこで、上記のように、表示領域１２０３を包含する領域としてＯＮ領域１２０５を設定し、このＯＮ領域１２０５とＥＥ関連画像との位置関係を電源制御に利用し、ＥＥ関連画像が表示領域１２０３に入る可能性が高いと推定される場合に前もって電力供給モードをカメラモードに切り替えておけば、実際にＥＥ関連画像が表示領域１２０３に入ったときに発生しうるユーザの待ち時間をより短くする、あるいはなくすことができる。
【０１６８】
（各領域の関係）
図示された例では、ＯＮ領域１２０５が表示領域１２０３を包含する領域として設定され、ＯＦＦ領域１２０７がＯＮ領域１２０５を包含する領域として設定されている。つまり、ＯＮ領域１２０５とＯＦＦ領域１２０７とは、いずれも表示領域１２０３を包含する領域ではあるが、ＯＦＦ領域１２０７の方がＯＮ領域１２０５よりも大きい。
【０１６９】
従って、ＥＥ関連画像が表示領域１２０３から出ていく場合に電力供給モードがカメラモードから再生モードに切り替えられる位置と、ＥＥ関連画像が表示領域１２０３に入ってくる場合に電力供給モードが再生モードからカメラモードに切り替えられる位置とは異なる。
【０１７０】
それゆえ、例えば、ＥＥ関連画像が表示領域１２０３から出ていく場合に、一旦ＯＦＦ領域１２０７の外側に出てから、少しだけ戻ってＯＦＦ領域１２０７の内側に入った場合、電力供給モードは既に再生モードに切り替えられているために、それ以上の電力供給モードの切り替えは発生しない。つまり、ＥＥ関連画像が再びＯＮ領域１２０５の内側に入る程度まで戻らない限り、電力供給モードがカメラモードに戻ることはない。
【０１７１】
また、ＥＥ関連画像が表示領域１２０３に入ってくる場合に、一旦ＯＮ領域１２０５の内側に入ってから、少しだけ戻ってＯＮ領域１２０５の外側に出た場合、電力供給モードは既にカメラモードに切り替えられているために、それ以上の電力供給モードの切り替えは発生しない。つまり、ＥＥ関連画像が再びＯＦＦ領域１２０７の外側に出る程度まで戻らない限り、電力供給モードが再生モードに戻ることはない。
【０１７２】
このようなＯＮ領域１２０５およびＯＦＦ領域１２０７の設定によって、ＥＥ画像がＯＮ領域１２０５またはＯＦＦ領域１２０７のいずれかの境界をまたいで細かく往復したとしても、電力供給モードの切替えが頻繁に繰り返されるのを防ぐことができる。撮像部１３５の構成にもよるが、電力供給モードの切替えを繰り返すことは、各構成要素の起動および停止を繰り返すことにつながるため、部材や装置の保護の観点から好ましくない場合が多い。
【０１７３】
しかしながら、例えば、ＥＥ関連画像の移動が単純であり、領域の境界をまたいて細かく往復するような動きが想定されないような場合には、ＯＮ領域１２０５とＯＦＦ領域１２０７とが同一の領域として設定されてもよい。また、例えば、このような場合には、一旦表示領域１２０３を出たＥＥ関連画像がすぐに戻ってくる可能性は低いため、ＯＦＦ領域１２０７がＯＮ領域１２０５よりも内側に設定され、さらにはＯＦＦ領域１２０７が表示領域１２０３に一致していてもよい。
【０１７４】
また、例えば、電力供給モードが再生モードである場合に電力が供給されない撮像部１３５の各部が、高速な再起動が可能であり、再生モードをカメラモードに切り替える際にもＥＥ画像を表示するまでの待ち時間がさほど発生しないような場合には、ＯＮ領域１２０５が表示領域１２０３に一致していてもよい。
【０１７５】
（４−１−２．背面側に表示される画面の例）
図２５は、本開示の第９の実施形態において第２の画面に設定される領域の例について説明するための図である。図２５には、第２の画面１２１１が示されている。上記の図２３にも示されるように、第２の画面１２１１は、第１の画面１２０１の背面側に表示される画面である。
【０１７６】
第２の画面１２１１には、表示領域１２１３と、ＯＮ領域１２１５と、ＯＦＦ領域１２１７とが設定される。表示領域１２１３は、前面に表示される第１の画面１２０１の表示が透過していることによって、表示部２１７に表示され、ユーザによって視認される領域である。従って、表示領域１２１３の形状は、表示部２１７の形状とは異なりうる。
【０１７７】
ＯＮ領域１２１５、およびＯＦＦ領域１２１７は、上記の第１の画面１２０１の例と同様に、表示領域１２１３に対応して設定される。図示された例では、ＯＮ領域１２１５が表示領域１２１３を包含する領域として設定され、ＯＦＦ領域１２１７がＯＮ領域１２１５を包含する領域として設定されている。第２の画面１２１１に含まれるＥＥ関連画像がＯＮ領域１２１５およびＯＦＦ領域１２１７にそれぞれ出入りした場合の電力供給モードの切替えも、上記の第１の画面１２０１の例と同様である。
【０１７８】
図２６は、本開示の第９の実施形態において第３の画面に設定される領域の例について説明するための図である。図２６には、第３の画面１２２１が示されている。上記の図２３にも示されるように、第３の画面１２２１は、第２の画面１２１１の背面側に表示される画面である。
【０１７９】
第３の画面１２２１には、ＯＮ領域１２２５と、ＯＦＦ領域１２２７とが設定される。第３の画面１２２１には、表示領域が設定されない。これは、図示された例では、前面に表示される第２の画面１２１１の表示領域１２１３に、表示が透過している領域がないためである。つまり、図示された例において、第３の画面１２２１は、前面に重畳して表示される第２の画面１２１１によって遮蔽されている。
【０１８０】
このような場合、第３の画面１２２１におけるＯＮ領域１２２５とＯＦＦ領域１２２７とは、前面に重畳されている第２の画面１２１１の表示領域１２１３に対応して設定される。これは、表示の変化によって、第２の画面１２１１の表示領域１２１３に透過領域が生じ、第２の画面１２１１による遮蔽が解除された場合、その背面側に位置する第３の画面１２２１の領域が表示されることになるためである。第３の画面１２２１に含まれるＥＥ関連画像がＯＮ領域１２２５およびＯＦＦ領域１２２７にそれぞれ出入りした場合の電力供給モードの切替えも、上記の第１の画面１２０１の例と同様である。
【０１８１】
図２７は、本開示の第９の実施形態において第４の画面に設定される領域の例について説明するための図である。図２７には、第４の画面１２３１が示されている。上記の図２３にも示されるように、第４の画面１２３１は、第３の画面１２２１の背面側に表示される画面である。
【０１８２】
第４の画面１２３１は、その第３の画面１２２１によって遮蔽されているため、第４の画面１２３１には表示領域が設定されない。上述の通り、第３の画面１２２１も第２の画面１２１１によって遮蔽されているため、第３の画面１２２１にも表示領域が設定されない。このような場合、第４の画面１２３１には、表示領域だけではなく、ＯＮ領域およびＯＦＦ領域も設定されない。第２の画面１２１１の表示領域１２１３に透過領域が生じ、第２の画面１２１１による遮蔽が解除されても、そこで表示されるのは第３の画面１２２１に領域であり、第４の画面１２３１の領域は依然として遮蔽されているためである。
【０１８３】
ただし、このようにして第３の画面１２２１に表示領域が設定されれば、この表示領域に対応して第４の画面１２３１にもＯＮ領域およびＯＦＦ領域が設定されうる。第３の画面１２２１の表示領域に透過領域が生じれば、第４の画面１２３１の領域が表示されることになるためである。
【０１８４】
（４−１−３．処理フロー）
（第１の例）
図２８は、本開示の第９の実施形態における処理フローの第１の例を示す図である。この第１の例は、表示領域、ＯＮ領域、およびＯＦＦ領域が、すべて同じ領域である場合の例である。
【０１８５】
まず、表示制御部２１５は、撮像部１３５の電力供給モードがカメラモードであるか否かを判定する（ステップＳ１０１）。ここで、電力供給モードがカメラモードであった場合、表示制御部２１５は、撮像部１３５からＥＥ画像を取得する（ステップＳ１０３）一方、電力供給モードが再生モードであった場合、撮像部１３５では撮像素子１２９などに電力が供給されておらず、画像を取得できる状態ではないため、表示制御部２１５は、ＥＥ画像を取得しない。
【０１８６】
次に、表示制御部２１５は、不揮発性記憶部３０１から、不揮発性記憶Ｉ／Ｆ３０３を介して、所定の再生画像を取得する（ステップＳ１０５）。なお、再生画像は、既に不揮発性記憶部３０１から読み出され、揮発性記憶部２０７にキャッシュされていてもよい。
【０１８７】
次に、表示制御部２１５は、入力部２１１から、入力処理部２１３を介して、操作情報を取得する（ステップＳ１０７）。ここで取得される操作情報は、例えば、上記の各実施形態で例示されたように、表示されている画像のいずれかを選択する操作、表示をいずれかの向きにスクロールさせる操作、または表示されている画像のいずれかを拡大もしくは縮小する操作などでありうる。
【０１８８】
次に、表示制御部２１５は、取得された操作情報に基づいて表示画像を作成し（ステップＳ１０９）、これを表示部２１７に表示させる（ステップＳ１１１）。ここで表示される表示画像は、例えば、取得された操作情報に基づいて、それまで表示されていたいずれかの画像もしくは表示全体が拡大または縮小されたり、それまで表示されていた画面がいずれかの方向に移動したりした画像でありうる。
【０１８９】
次に、電源制御部２０３は、表示制御部２１５が表示部２１７に表示させた表示画像において、ＥＥ関連画像（フローチャート中では簡単のために単に“ＥＥ画像”と表記する）が表示領域内にあるか否かを判定する（ステップＳ１１３）。
【０１９０】
ここで、ＥＥ関連画像が表示領域内にあると判定された場合、電源制御部２０３は、撮像部１３５への電力供給モードをカメラモードに設定し（ステップＳ１１５）、処理はステップＳ１０１に戻る。それまでの処理によって電力供給モードが再生モードに設定されていた場合、ここでモードの切替えが実行される。
【０１９１】
一方、ＥＥ関連画像が表示領域外にあると判定された場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０１９２】
（第２の例）
図２９は、本開示の第９の実施形態における処理フローの第２の例を示す図である。この第２の例は、表示領域とＯＮ領域とが同一の領域であり、ＯＦＦ領域が表示領域を包含する場合の例である。なお、ステップＳ１０１〜Ｓ１１５の処理については、上記の第１の例と同様であるため説明を省略する。
【０１９３】
ステップＳ１１３において、ＥＥ関連画像が表示領域外にあると判定された場合、電源制御部２０３は、さらに、ＥＥ関連画像がＯＦＦ領域外にあるか否かを判定する（ステップＳ１１９）。
【０１９４】
ここで、ＥＥ関連画像がＯＦＦ領域外にあると判定された場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０１９５】
一方、ＥＥ関連画像がＯＦＦ領域内にあると判定された場合、電源制御部２０３は、電力供給モードに関する処理を実行せず、処理はステップＳ１０１に戻る。つまり、この場合、それまでの処理によって設定されていた電力供給モードが維持される。
【０１９６】
この第２の例では、ＥＥ関連画像が表示領域外かつＯＦＦ領域内にある場合、それまでの処理によって設定されていた電力供給モードが維持される。これによって、ＥＥ関連画像の細かい動きによって頻繁に電力供給モードが切り替えられることを避けることができる。
【０１９７】
（第３の例）
図３０は、本開示の第９の実施形態における処理フローの第３の例を示す図である。この第３の例は、表示領域とＯＦＦ領域とが同一の領域であり、表示領域＝ＯＦＦ領域の内側にＯＮ領域が設定される場合の例である。なお、ステップＳ１０１〜Ｓ１１１の処理については、上記の第１の例と同様であるため説明を省略する。
【０１９８】
ステップＳ１１１に続いて、電源制御部２０３は、表示制御部２１５が表示部２１７に表示させた表示画像において、ＥＥ関連画像がＯＮ領域に入ったか否かを判定する（ステップＳ１２１）。
【０１９９】
ここで、ＥＥ関連画像がＯＮ領域に入ったと判定された場合、電源制御部２０３は、撮像部１３５への電力供給モードをカメラモードに設定し（ステップＳ１１５）、処理はステップＳ１０１に戻る。“ＥＥ関連画像がＯＮ領域内に入った”とは、それまでＯＮ領域に含まれなかったＥＥ関連画像が、表示の変化によってＯＮ領域に含まれるようになったことを意味する。ＥＥ関連画像がＯＮ領域に入る前に電力供給モードが再生モードであれば、ここでモードの切替えが実行される。
【０２００】
一方、ＥＥ関連画像がＯＮ領域に入ったとは判定されなかった場合、電源制御部２０３は、さらに、ＥＥ関連画像が表示領域から出たか否かを判定する（ステップＳ１２３）。
【０２０１】
ここで、ＥＥ関連画像が表示領域から出たと判定された場合、電源制御部２０３は、撮像部１３５への電力供給モードを再生モードに設定し（ステップＳ１１７）、処理はステップＳ１０１に戻る。“ＥＥ関連画像が表示領域から出た”とは、それまで表示領域に含まれていたＥＥ関連画像が、表示の変化によって表示領域に含まれないようになったことを意味する。ＥＥ関連画像が表示領域から出る前に電力供給モードがカメラモードであれば、ここでモードの切替えが実行される。
【０２０２】
一方、ＥＥ関連画像が表示領域から出たとは判定されなかった場合、電源制御部２０３は、電力供給モードに関する処理を実行せず、処理はステップＳ１０１に戻る。つまり、この場合、それまでの処理によって設定されていた電力供給モードが維持される。
【０２０３】
この第３の例は、例えば、ＥＥ関連画像が十分に表示領域の中に入り、ユーザがこれを十分に視認できるようになった時点で電力供給モードをカメラモードに設定する場合に適用されうる。この場合、表示領域に少し入っただけのＥＥ関連画像は、すぐに表示領域から出ることも想定されるため、この時点ではまだ電力供給モードをカメラモードには切り替えない。ＥＥ関連画像がさらに表示領域に入り、内側に設定されたＯＮ領域の中にも入ると、電力供給モードがカメラモードに切り替えられる。これによって、ＥＥ関連画像の内容が視認可能になった場合に限って電力供給モードを切り替え、電力をより節約することができる。一方、ＥＥ関連画像が表示領域から出ていく場合には、ＥＥ関連画像が表示領域から出てから電力供給モードが再生モードに切り替えられる。
【０２０４】
（第４の例）
図３１は、本開示の第９の実施形態における処理フローの第４の例を示す図である。この第４の例は、ＯＮ領域が表示領域を包含し、それをさらにＯＦＦ領域が包含する場合の例である。なお、ステップＳ１０１〜Ｓ１１１の処理については、上記の第１の例と同様であるため説明を省略する。
【０２０５】
ステップＳ１１１に続いて、電源制御部２０３は、表示制御部２１５が表示部２１７に表示させた表示画像において、ＥＥ関連画像がＯＮ領域内にあるか否かを判定する（ステップＳ１２５）。
【０２０６】
ここで、ＥＥ関連画像がＯＮ領域内にあると判定された場合、電源制御部２０３は、撮像部１３５への電力供給モードをカメラモードに設定し（ステップＳ１１５）、処理はステップＳ１０１に戻る。それまでの処理によって電力供給モードが再生モードに設定されていた場合、ここでモードの切替えが実行される。
【０２０７】
一方、ＥＥ関連画像がＯＮ領域外にあると判定された場合、電源制御部２０３は、さらに、ＥＥ関連画像がＯＦＦ領域外にあるか否かを判定する（ステップＳ１１９）。
【０２０８】
ここで、ＥＥ関連画像がＯＦＦ領域外にあると判定された場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０２０９】
一方、ＥＥ関連画像がＯＦＦ領域内にあると判定された場合、電源制御部２０３は、電力供給モードに関する処理を実行せず、処理はステップＳ１０１に戻る。つまり、この場合、それまでの処理によって設定されていた電力供給モードが維持される。
【０２１０】
この第４の例では、ＥＥ関連画像がＯＮ領域外かつＯＦＦ領域内にある場合、それまでの処理によって設定されていた電力供給モードが維持される。これによって、ＥＥ関連画像の細かい動きによって頻繁に電力供給モードが切り替えられることを避けることができる。また、ＥＥ関連画像が表示領域よりも外側のＯＮ領域内に入った時点で電力供給モードがカメラモードに設定されるため、ＥＥ関連画像が表示領域に入った後にＥＥ画像が表示されるまでの待機時間をより短くする、またはなくすことができる。
【０２１１】
（４−１−４．変形例）
（第１の変形例）
図３２は、本開示の第９の実施形態の第１の変形例について説明するための図である。図３２には、第１の画面１３０１が示されている。第１の画面１３０１に設定される表示領域１３０３、ＯＮ領域１３０５、およびＯＦＦ領域１３０７の性質は、上記の図２４の例で説明した第１の画面１２０１の場合と同様である。
【０２１２】
図示された例でも、ＯＮ領域１３０５は、表示領域１３０３を包含する領域として設定されている。ただし、ＯＮ領域１３０５は、表示領域１３０３を中心周りに回転させた図形を包含する領域として設定されている。つまり、表示領域１３０３が中心周りに回転したとしても、表示領域１３０３はＯＮ領域１３０５に含まれる。
【０２１３】
これは、表示領域１３０３の回転の過程を考慮した構成である。例えば、モバイル装置を縦持ちにしたり横持ちにしたりする場合のように、表示領域１３０３が回転する場合がありうる。その場合、例えば縦持ちの場合は表示領域１３０３に含まれない領域が、横持ちにした場合、またはその遷移の過程では表示領域１３０３に含まれるといったようなこともありうる。
【０２１４】
そこで、図示された例では、表示領域１３０３が縦長形状から横長形状へと遷移する過程でも、電力供給モードがカメラモードに切り替わらずにＥＥ関連画像が表示領域１３０３に入ってしまうことがないように、上記のようにＯＮ領域１３０５が設定される。なお、ＯＦＦ領域１３０７は、ＯＮ領域１３０５をさらに包含する領域として設定される。
【０２１５】
（第２の変形例）
図３３は、本開示の第９の実施形態の第２の変形例について説明するための図である。図３３には、第１の画面１４０１が示されている。第１の画面１４０１に設定される表示領域１４０３、ＯＮ領域１４０５、およびＯＦＦ領域１４０７の性質は、上記の図２４の例で説明した第１の画面１２０１の場合と同様である。
【０２１６】
図示された例でも、ＯＮ領域１４０５は、表示領域１４０３を包含する領域として設定されている。ただし、ＯＮ領域１４０５は、表示領域１４０３の縦長形状と横長形状とを重ね合わせた図形を包含する領域として設定されている。つまり、表示領域１４０３が横長から縦長に切り替わったとしても、表示領域１４０３はＯＮ領域１４０５に含まれる。
【０２１７】
これは、表示領域１４０３の縦長と横長との切り替わりを考慮した構成である。例えば、モバイル装置を縦持ちにしたり横持にしたりする場合のように、表示領域１４０３が横長形状から縦長形状に、あるいはその逆に切り替わる場合がありうる。そこで、図示された例では、横長形状と縦長形状との両方に対応する形状でＯＮ領域１４０５を設定し、表示領域１４０３が縦長形状から横長形状に切り替わった場合でも、電力供給モードがカメラモードに切り替わらずにＥＥ関連画像が表示領域１４０３に入ってしまうことがないようにする。なお、ＯＦＦ領域１４０７は、ＯＮ領域１４０５をさらに包含する領域として設定される。
【０２１８】
（４−２．第１０の実施形態）
次に、図３４〜図４０を参照して、本開示の第１０の実施形態について説明する。本開示の第１０の実施形態は、電力供給制御のタイミングに関する。上記の各実施形態では、表示部２１７の表示に応じて撮像部１３５への電力供給が制御されたが、本実施形態は、こうした制御が実行される各実施形態、すなわち上記の各実施形態のいずれにも適用可能である。
【０２１９】
図３４は、本開示の第１０の実施形態における電力供給制御のタイミングの例について説明するための図である。図３４を参照すると、表示部２１７にＥＥ関連画像の表示があり、撮像部１３５への電力供給モードがカメラモードに設定されている状態から、表示部２１７にＥＥ関連画像の表示がなく、電力供給モードが再生モードに設定されている状態への遷移が時間軸上で示されている。
【０２２０】
図示された例では、表示部２１７からＥＥ関連画像の表示がなくなった後も、所定の時間だけ電力供給モードがカメラモードに維持される。その後、電源制御部２０３によって電力供給モードが再生モードに切り替えられる。
【０２２１】
表示部２１７からＥＥ関連画像の表示がなくなってから、電力供給モードが切り替えられるまでの時間は、所定の待機時間ともいえる。待機時間は、ＥＥ関連画像が表示部２１７から消えてすぐの時間である。そのため、ユーザ操作によって、ＥＥ関連画像が再び表示部２１７に呼び戻され、撮像が実行される可能性が比較的高い。従って、本実施形態では、この間は電力供給モードの切替えを待機する。
【０２２２】
上記の例とは逆に、表示部２１７にＥＥ関連画像の表示がなく、電力供給モードが再生モードに設定されている状態から、表示部２１７にＥＥ関連画像の表示があり、電力供給モードがカメラモードに設定されている状態への遷移においても、表示部２１７にＥＥ関連画像の表示が現れてから電力供給モードが切り替えられるまでの間に所定の待機時間が設定されてもよい。この場合、待機時間は、ユーザがＥＥ関連画像を表示部２１７に表示させる意思が定かではなく、またすぐにＥＥ関連画像が表示部２１７から消える可能性が比較的高い時間と推定される。
【０２２３】
（処理フロー：第１の例）
図３５は、本開示の第１０の実施形態における処理フローの第１の例を示す図である。この第１の例は、撮像部１３５の電力供給モードをカメラモードから再生モードに切り替える場合に待機時間を設ける例である。なお、ステップＳ１０１〜Ｓ１１５の処理については、上記の第９の実施形態で図２８を参照して説明された例と同様であるため説明を省略する。
【０２２４】
ステップＳ１１３において、ＥＥ関連画像が表示領域外にあると判定された場合、電源制御部２０３は、さらに、ＥＥ関連画像が表示領域外にあり、その状態で所定の時間（待機時間）が経過したか否かを判定する（ステップＳ２０１）。
【０２２５】
ここで、所定の時間が経過したと判定された場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０２２６】
一方、所定の時間が経過しなかった場合、つまり待機時間が経過する前にＥＥ関連画像が表示領域内に戻った場合、電源制御部２０３は、電力供給モードに関する処理を実行せず、処理はステップＳ１０１に戻る。つまり、この場合、それまでの処理によって設定されていた電力供給モードが維持される。
【０２２７】
（処理フロー：第２の例）
図３６は、本開示の第１０の実施形態における処理フローの第２の例を示す図である。この第２の例は、撮像部１３５の電力供給モードを再生モードからカメラモードに切り替える場合に待機時間を設ける例である。なお、ステップＳ１０１〜Ｓ１１１の処理については、上記の第９の実施形態で図２８を参照して説明された例と同様であるため説明を省略する。
【０２２８】
ステップＳ１１１に続いて、電源制御部２０３は、ＥＥ関連画像が表示領域内にあり、その状態で所定の時間（待機時間）が経過したか否かを判定する（ステップＳ２０３）。
【０２２９】
ここで、所定の時間が経過したと判定された場合、電源制御部２０３は、撮像部１３５への電力供給モードをカメラモードに設定し（ステップＳ１１５）、処理はステップＳ１０１に戻る。それまでの処理によって電力供給モードが再生モードに設定されていた場合、ここでモードの切替えが実行される。
【０２３０】
一方、所定の時間が経過しなかった場合、つまり待機時間が経過する前にＥＥ関連画像が表示領域から出た場合、電源制御部２０３は、さらに、ＥＥ関連画像が表示領域から出たか否かを判定する（ステップＳ１２３）。
【０２３１】
ここで、ＥＥ関連画像が表示領域から出たと判定された場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０２３２】
一方、ＥＥ関連画像が表示領域から出たとは判定されなかった場合、電源制御部２０３は、電力供給モードに関する処理を実行せず、処理はステップＳ１０１に戻る。つまり、この場合、それまでの処理によって設定されていた電力供給モードが維持される。
【０２３３】
（処理フロー：第３の例）
図３７は、本開示の第１０の実施形態における処理フローの第３の例を示す図である。この第３の例は、撮像部１３５の電力供給モードを再生モードからカメラモードに切り替える場合と、カメラモードから再生モードに切り替える場合との両方で待機時間を設ける例である。なお、ステップＳ１０１〜Ｓ１１１の処理については、上記の第９の実施形態で図２８を参照して説明された例と同様であるため説明を省略する。
【０２３４】
ステップＳ１１１に続いて、電源制御部２０３は、ＥＥ関連画像が表示領域内にあり、その状態で所定の時間（待機時間）が経過したか否かを判定する（ステップＳ２０３）。
【０２３５】
ここで、所定の時間が経過したと判定された場合、電源制御部２０３は、撮像部１３５への電力供給モードをカメラモードに設定し（ステップＳ１１５）、処理はステップＳ１０１に戻る。それまでの処理によって電力供給モードが再生モードに設定されていた場合、ここでモードの切替えが実行される。
【０２３６】
一方、ステップＳ２０３において、所定の時間が経過しなかった場合、つまり待機時間が経過する前にＥＥ関連画像が表示領域内に戻った場合、電源制御部２０３は、さらに、ＥＥ関連画像が表示領域外にあり、その状態で所定の時間（待機時間）が経過したか否かを判定する（ステップＳ２０１）。
【０２３７】
ここで、所定の時間が経過したと判定された場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０２３８】
一方、所定の時間が経過しなかった場合、つまり待機時間が経過する前にＥＥ関連画像が表示領域内に戻った場合、電源制御部２０３は、電力供給モードに関する処理を実行せず、処理はステップＳ１０１に戻る。つまり、この場合、それまでの処理によって設定されていた電力供給モードが維持される。
【０２３９】
（第１の変形例）
図３８は、本開示の第１０の実施形態における第１の変形例について説明するための図である。図３８には、図３４と同様に、撮像部１３５への電力供給モードがカメラモードから再生モードに遷移する例が示されている。なお、以下で説明する第１および第２の変形例に限り、「ＥＥ関連画像」を、「ＥＥ画像」、「ブラックアウト画像」、「レビュー画像」、および「静止画処理中画像」に分けて説明する。
【０２４０】
図示された例では、表示部２１７にＥＥ画像が表示された状態で、ユーザの操作によって撮像が実行されると、撮像処理が実行されている間、ＥＥ画像の代わりにブラックアウト画像が表示される。その後、撮像された画像が、レビュー画像として表示された後、表示部２１７の表示は通常の再生画像を含む表示に戻る。この時、ＥＥ画像は、既に表示部２１７に含まれていない。
【０２４１】
ここで、電源制御部２０３は、所定の時間だけ電力供給モードをカメラモードに維持した後、電力供給モードを再生モードに切り替える。つまり、この場合、表示部２１７にＥＥ画像、レビュー画像、およびブラックアウト画像がいずれも表示されていない状態が所定の時間以上継続した場合に、電力供給モードが切り替えられる。上述の通り、ＥＥ画像、レビュー画像、およびブラックアウト画像を「ＥＥ関連画像」と称すれば、上記の例では、ＥＥ関連画像が表示部２１７に表示されなくなってから所定の待機時間が経過した場合に、電力制御が実行されるといえる。
【０２４２】
（第２の変形例）
図３９は、本開示の第１０の実施形態における第２の変形例について説明するための図である。図３９には、図３４と同様に、撮像部１３５への電力供給モードがカメラモードから再生モードに遷移する例が示されている。
【０２４３】
図示された例では、表示部２１７にＥＥ画像が表示された状態で、ユーザの操作によって撮像が実行されると、撮像処理が実行されている間、ＥＥ画像の代わりに所定の静止画処理中画像が表示される。その後、表示部２１７の表示は通常の再生画像を含む表示に戻る。この時、ＥＥ画像は、既に表示部２１７に含まれていない。
【０２４４】
ここで、電源制御部２０３は、所定の時間だけ電力供給モードをカメラモードに維持した後、電力供給モードを再生モードに切り替える。つまり、この場合、表示部２１７にＥＥ画像および静止画処理中画像がいずれも表示されていない状態が所定の時間以上継続した場合に、電力供給モードが切り替えられる。上述の通り、ＥＥ画像および静止画処理中画像を「ＥＥ関連画像」と称すれば、上記の例では、ＥＥ関連画像が表示部２１７に表示されなくなってから所定の待機時間が経過した場合に、電力制御が実行されるといえる。
【０２４５】
（第３の変形例）
図４０は、本開示の第１０の実施形態における第３の変形例について説明するための図である。図４０には、図３４と同様に、撮像部１３５への電力制御モードがカメラモードから再生モードに遷移する例が示されている。
【０２４６】
図示された例では、表示部２１７にＥＥ関連画像が表示された状態から、上記の第９の実施形態で説明したような所定の領域をまたいだＥＥ関連画像の表示位置の移動によって、所定の再生モード設定条件が満たされた状態になる。この場合、電源制御部２０３は、再生モード設定条件が満たされた後、所定の時間だけ電力供給モードをカメラモードに維持し他後、電力供給モードを再生モードに切り替える。
【０２４７】
このように、上記で説明した本開示の第１０の実施形態のそれぞれの構成は、第９の実施形態のそれぞれの構成とも組み合わせることが可能である。
【０２４８】
（４−３．第１１の実施形態）
次に、図４１および図４２を参照して、本開示の第１１の実施形態について説明する。本開示の第１１の実施形態は、電力供給制御の対象に関する。これまでに説明した各実施形態と同様に、本実施形態も、上記の各実施形態のいずれとも組み合わせ可能である。
【０２４９】
図４１は、本開示の第１１の実施形態について説明するための図である。本実施形態では、図示されたような沈胴式（収納式）の鏡筒を有する撮像装置１００が、電源制御の対象になる。例えば、入力部２１１に含まれる電源ボタンから、入力処理部２１３を介して、装置の電源を遮断する操作入力が取得された場合、撮像部１３５の電力供給モードがカメラモードであれば、展開された鏡筒１１０ａが、収納された状態（鏡筒１１０ｂ）に変化する。
【０２５０】
上記の各実施形態における電源制御で、電力供給モードがカメラモードから再生モードに切り替えられた場合、例えば上記の電源遮断の場合と同様に、収納式レンズの収納状態を変更してもよい。しかしながら、このような変化には、モータなどの駆動が必要になり、そのための電力消費が発生する。この電力消費は、撮像部１３５の他の部分、例えばＡＦ機構１２３や絞り１２５、手振れ補正機構１２７、撮像素子１２９などを起動／停止する場合の電力消費に比べて大きい。
【０２５１】
図４２は、本開示の第１１の実施形態について説明するための図である。上記のような事情に鑑み、本実施形態では、撮像部１３５の電力供給モードがカメラモードから再生モードに切り替わっても、展開された鏡筒１１０ａがそのままの状態に維持される。つまり、電力供給モードの切替えによって、撮像部１３５の他の部分への電力の供給が終了した場合にも、鏡筒１１０ａの収納状態が変化しない。
【０２５２】
これによって、鏡筒の収納状態を切り替えることによる電力消費を抑制することができる。表示部２１７の表示の変化によって電力供給モードが切り替えられる場合、ユーザは引き続き表示部２１７を見ており、撮像装置１００がケースなどに収納される可能性は低いと考えられる。従って、再生モードで鏡筒１１０ａが展開された状態のままでも、支障が生じる可能性は低い。それゆえ、例えば、再生モードでユーザが撮像装置の電源を切る操作をした場合や、表示部２１７での再生画像の表示が終了された場合に、改めて鏡筒１１０ａが収納されてもよい。
【０２５３】
（４−４．第１２の実施形態）
次に、図４３〜図４８を参照して、本開示の第１２の実施形態について説明する。本開示の第１２の実施形態は、ＥＥ画像と共通する属性を有する再生画像をＥＥ関連画像として電力供給制御の判定に用いる例に関する。上記の各実施形態では、表示部２１７の表示に応じて撮像部１３５への電力供給が制御されたが、本実施形態は、こうした制御が実行される各実施形態、すなわち上記の各実施形態のいずれにも適用可能である。
【０２５４】
（処理フロー：第１の例）
図４３は、本開示の第１２の実施形態における処理フローの第１の例を示す図である。この第１の例は、撮像部１３５の電力供給モードをカメラモードから再生モードに切り替える際にＥＥ画像の属性を取得する例である。なお、ステップＳ１０１〜Ｓ１１５の処理については、上記の第９の実施形態で図２８を参照して説明された例と同様であるため説明を省略する。
【０２５５】
ステップＳ１１３において、ＥＥ関連画像が表示領域外にあると判定された場合、電源制御部２０３は、さらに、所定時間内の属性がＥＥ画像から取得可能であるか否かを判定する（ステップＳ３０１）。ここで、所定時間内の属性とは、ＥＥ画像から取得されてから所定の時間が経過していない属性ということである。
【０２５６】
ＥＥ画像が表示領域外にある時点で、ＥＥ画像はもはや表示されていないため、リアルタイムにＥＥ画像の属性が取得されるわけではない。従って、参照可能なＥＥ画像の属性は、ＥＥ画像が最後に表示されていた時の属性でありうる。この属性が取得されてからあまり時間が経ってしまうと、現在のＥＥ画像の属性（実際には取得されない）と参照可能なＥＥ画像の属性との差が大きくなり、ＥＥ画像の属性を用いた判定が妥当でなくなる可能性がある。そこで、上記のステップＳ３０１では、ＥＥ画像から取得可能な属性が所定時間内のものであるかを判定する。
【０２５７】
上記のステップＳ３０１において、所定時間内の属性がＥＥ画像から取得可能である場合、電源制御部２０３は、さらに、表示領域内に当該属性と同じ属性の再生画像が存在するか否かを判定する（ステップＳ３０３）。ここで、表示領域内にＥＥ画像と同じ属性の再生画像が存在しなかった場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。
【０２５８】
一方、上記のステップＳ３０１において、所定時間内の属性がＥＥ画像から取得可能ではなかった場合、電源制御部２０３は電力供給モードに関する処理を実行せず、処理はステップＳ１０１に戻る。つまり、この場合、それまでの処理によって設定されていた電力供給モードが維持される。これは、ＥＥ画像の有効な属性が利用可能でなかった場合、再生画像の中にＥＥ画像と共通する属性を有するものがある場合と同様の扱いをするということである。
【０２５９】
および、ステップＳ３０３において、表示領域にＥＥ画像と同じ属性の再生画像が存在した場合も、電源制御部２０３は電力供給モードに関する処理を実行せず、処理はステップＳ１０１に戻る。つまり、この場合、それまでの処理によって設定されていた電力供給モードが維持される。これは、設定されている電力供給モードがカメラモードである場合には、ＥＥ画像と同じ属性の再生画像が表示領域に存在する限りはカメラモードが維持されることを意味する。また、設定されている電力供給モードが再生モードである場合には、ＥＥ画像と同じ属性を有する再生画像が表示領域に入っただけでは、再生モードがカメラモードには切り替えられないことを意味する。
【０２６０】
（処理フロー：第２の例）
図４４は、本開示の第１２の実施形態における処理フローの第２の例を示す図である。この第２の例も、撮像部１３５の電力供給モードをカメラモードから再生モードに切り替える際にＥＥ画像の属性を取得する例である。なお、ステップＳ１０１〜Ｓ１１５，Ｓ１１７，Ｓ３０３の処理については、上記で図４３を参照して説明された例と同様であるため説明を省略する。
【０２６１】
ステップＳ１１３において、ＥＥ関連画像が表示領域外にあると判定された場合、電源制御部２０３は、さらに、所定時間内の属性がＥＥ画像から取得可能であるか否かを判定する（ステップＳ３０５）。ここで、所定時間内の属性がＥＥ画像から取得可能である場合、電源制御部２０３は、さらに、表示領域内に当該属性と同じ属性の再生画像が存在するか否かを判定する（ステップＳ３０３）。
【０２６２】
一方、ステップＳ３０５において、所定時間内の属性がＥＥ画像から取得可能ではなかった場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。これは、ＥＥ画像の有効な属性が利用可能でなかった場合、再生画像の中にＥＥ画像と共通する属性を有するものがない場合と同様の扱いをするということである。
【０２６３】
（処理フロー：第３の例）
図４５は、本開示の第１２の実施形態における処理フローの第３の例を示す図である。この第３の例も、撮像部１３５の電力供給モードをカメラモードから再生モードに切り替える際にＥＥ画像の属性を取得する例である。なお、ステップＳ１０１〜Ｓ１１５，Ｓ１１７，Ｓ３０３の処理については、上記で図４３を参照して説明された例と同様であるため説明を省略する。
【０２６４】
ステップＳ１１３において、ＥＥ関連画像が表示領域外にあると判定された場合、電源制御部２０３は、さらに、所定時間内の属性がＥＥ画像から取得可能であるか否かを判定する（ステップＳ３０７）。ここで、所定時間内の属性がＥＥ画像から取得可能である場合、電源制御部２０３は、さらに、表示領域内に当該属性と同じ属性の再生画像が存在するか否かを判定する（ステップＳ３０３）。
【０２６５】
一方、ステップＳ３０７において、所定時間内の属性がＥＥ画像から取得可能ではなかった場合、電源制御部２０３は、撮像部１３５への電力供給モードをカメラモードに設定し（ステップＳ１１５）、処理はステップＳ１０１に戻る。それまでの処理によって電力供給モードが再生モードに設定されていた場合、ここでモードの切替えが実行される。これは、ＥＥ画像の有効な属性が利用可能でなかった場合、再生画像の中にＥＥ画像と共通する属性を有するものがある場合と同様の扱いとし、さらに再生画像の中にＥＥ画像と共通する属性を有するものがある場合には電力供給モードをカメラモードにするということである。
【０２６６】
（処理フロー：第４の例）
図４６は、本開示の第１２の実施形態における処理フローの第４の例を示す図である。この第４の例は、撮像部の電力供給モードを再生モードからカメラモードに切り替える際にもＥＥ画像の属性を取得する例である。なお、ステップＳ１０１〜Ｓ１１５，Ｓ３０１の処理については、上記で図４３を参照して説明された例と同様であるため説明を省略する。
【０２６７】
ステップＳ３０１において、所定時間内の属性がＥＥ画像から取得可能である場合、電源制御部２０３は、さらに、表示領域内に当該属性と同じ属性の再生画像が存在するか否かを判定する（ステップＳ３０９）。ここで、表示領域内にＥＥ画像と同じ属性の再生画像が存在する場合、電源制御部２０３は、撮像部１３５への電力供給モードをカメラモードに設定し（ステップＳ１１５）、処理はステップＳ１０１に戻る。それまでの処理によって電力供給モードが再生モードに設定されていた場合、ここでモードの切替えが実行される。
【０２６８】
一方、ステップＳ３０９において、表示領域内にＥＥ画像と同じ属性の再生画像が存在しなかった場合、電源制御部２０３は、撮像部１３５への電力供給モードを再生モードに設定し（ステップＳ１１７）、処理はステップＳ１０１に戻る。それまでの処理によって電力供給モードがカメラモードに設定されていた場合、ここでモードの切替えが実行される。つまり、この第４の例では、ＥＥ画像に共通する属性を有する再生画像が表示されているか否かによって、電力供給モードがカメラモードに切り替えられる場合もあれば、再生モードに切り替えられる場合もある。
【０２６９】
（処理フロー：第５の例）
図４７は、本開示の第１２の実施形態における処理フローの第５の例を示す図である。この第５の例は、撮像部の電力供給モードを再生モードからカメラモードに切り替える際にもＥＥ画像の属性を取得する例である。この例は、上記で図４６を参照して説明されたステップＳ１０１〜Ｓ１１５，Ｓ３０９の処理と、図４４を参照して説明されたステップＳ３０５の処理とを組み合わせたものである。各ステップについては既に説明されているため、ここでは詳細な説明を省略する。
【０２７０】
（処理フロー：第６の例）
図４８は、本開示の第１２の実施形態における処理フローの第６の例を示す図である。この第６の例は、撮像部の電力供給モードを再生モードからカメラモードに切り替える際にもＥＥ画像の属性を取得する例である。この例は、上記で図４６を参照して説明されたステップＳ１０１〜Ｓ１１５，Ｓ３０９の処理と、図４５を参照して説明されたステップＳ３０７の処理とを組み合わせたものである。各ステップについては既に説明されているため、ここでは詳細な説明を省略する。
【０２７１】
（４−５．第１３の実施形態）
次に、図４９を参照して、本開示の第１２の実施形態について説明する。本開示の第１３の実施形態は、上記の第９の実施形態と第１２の実施形態とを組み合わせたものである。
【０２７２】
図４９は、本開示の第１３の実施形態における処理フローの例を示す図である。なお、ステップＳ１０１〜Ｓ１１１の処理は、上記の第９の実施形態で図２８を参照して説明された例と同様であるため説明を省略する。
【０２７３】
ステップＳ１１１に続いて、電源制御部２０３は、所定時間内の属性がＥＥ画像から取得可能であるか否かを判定する（ステップＳ４０１）。ここで、所定時間内の属性がＥＥ画像から取得可能である場合、電源制御部２０３は、さらに、ステップＳ４０３，Ｓ４０５のＥＥ画像の属性を用いた判定に進む。一方、所定時間内の属性がＥＥ画像から取得可能ではなかった場合、電源制御部２０３は、ステップＳ４１１，Ｓ４１３のＥＥ画像の属性を用いない判定に進む。
【０２７４】
上記のステップＳ４０１に続く属性を用いた判定において、電源制御部２０３は、まず、ＥＥ画像またはＥＥ画像に共通する属性を有する再生画像が、画面に設定されたＯＮ領域内にある状態で所定の時間が経過したか否かを判定する（ステップＳ４０３）。ここで、上記のいずれかまたは両方の画像がＯＮ領域内にある状態で所定の時間が経過した場合、電源制御部２０３は、撮像部１３５の電力供給モードをカメラモードに設定する（ステップＳ４０７）。それまでの処理によって電力供給モードが再生モードに設定されていた場合、ここでモードの切替えが実行される。
【０２７５】
一方、ステップＳ４０３において、上記のいずれかまたは両方の画像がＯＮ領域外にある、または所定時間が経過する前にＯＮ領域から出た場合、電源制御部２０３は、さらに、ＥＥ画像およびＥＥ画像に共通する属性を有する再生画像が、画面に設定されたＯＦＦ領域外にある状態で所定の時間が経過したか否かを判定する（ステップＳ４０５）。
【０２７６】
ここで、上記の両方の画像がＯＦＦ領域外にある状態で所定の時間が経過した場合、電源制御部２０３は、撮像部１３５の電力供給モードを再生モードに設定する（ステップＳ４０９）。それまでの処理によって電力供給モードがカメラモードに設定されていた場合、ここでモードの切替えが実行される。
【０２７７】
一方、ステップＳ４０５において、上記のいずれかの画像がＯＦＦ領域内にある、または所定の時間が経過する前にＯＦＦ領域に入った場合、電源制御部２０３は電力供給モードに関する処理を実行せず、処理はステップＳ１０１に戻る。つまり、この場合、それまでの処理によって設定されていた電力供給モードが維持される。
【０２７８】
上記のステップＳ４０１に続く属性を用いない判定において、電源制御部２０３は、まず、ＥＥ画像が画面に設定されたＯＮ領域内にある状態で所定の時間が経過したか否かを判定する（ステップＳ４１１）。ここで、ＥＥ画像がＯＮ領域内にある状態で所定の時間が経過した場合、電源制御部２０３は、撮像部１３５の電力供給モードをカメラモードに設定する（ステップＳ４１５）。それまでの処理によって電力供給モードが再生モードに設定されていた場合、ここでモードの切替えが実行される。
【０２７９】
一方、ステップＳ４１１において、ＥＥ画像がＯＮ領域外にある、または所定時間が経過する前にＯＮ領域から出た場合、電源制御部２０３は、さらに、ＥＥ画像が画面に設定されたＯＦＦ領域外にある状態で所定の時間が経過したか否かを判定する（ステップＳ４１３）。
【０２８０】
ここで、ＥＥ画像がＯＦＦ領域外にある状態で所定の時間が経過した場合、電源制御部２０３は、撮像部１３５の電力供給モードを再生モードに設定する（ステップＳ４０９）。それまでの処理によって電力供給モードがカメラモードに設定されていた場合、ここでモードの切替えが実行される。
【０２８１】
一方、ステップＳ４１３において、ＥＥ画像がＯＦＦ領域内にある、または所定の時間が経過する前にＯＦＦ領域に入った場合、電源制御部２０３は電力供給モードに関する処理を実行せず、処理はステップＳ１０１に戻る。つまり、この場合、それまでの処理によって設定されていた電力供給モードが維持される。
【０２８２】
（４−６．第１４の実施形態）
次に、図５０〜図５３を参照して、本開示の第１４の実施形態について説明する。本開示の第１４の実施形態は、ＥＥ画像に共通する属性を有する再生画像の表示を利用した電源制御のさらに詳細な構成に関する。従って、本実施形態は、ＥＥ画像の属性を用いた電源制御が実行される上記の各実施形態において適用可能である。
【０２８３】
（処理フロー：第１の例）
図５０は、本開示の第１４の実施形態における処理フローの第１の例を示す図である。この第１の例は、電源制御に用いるＥＥ画像の属性を取得するために、撮像部１３５の電力供給モードをカメラモードに切り替える例である。
【０２８４】
制御装置の電源が投入された場合に（ステップＳ５０１）、処理が開始される。電源制御部２０３は、例えば不揮発性記憶部３０１などに格納された設定情報を参照して、電源制御にあたってＥＥ画像の属性を利用するか否かを判定する（ステップＳ５０３）。ここで、ＥＥ画像の属性を利用する場合、電源制御部２０３は、撮像部１３５の電力供給モードをカメラモードに切り替える（ステップＳ５０５）。
【０２８５】
その後、上記の各実施形態で説明したような撮像部１３５の電源制御が開始される（ステップＳ５０７）。
【０２８６】
（処理フロー：第２の例）
図５１は、本開示の第１４の実施形態における処理フローの第２の例を示す図である。この第２の例は、電源制御に用いるＥＥ画像の属性について、以前に取得されたものが利用可能でなければ、撮像部１３５の電力供給モードをカメラモードに切り替える例である。
【０２８７】
制御装置の電源が投入された場合に（ステップＳ５０１）、処理が開始される。電源制御部２０３は、例えば不揮発性記憶部３０１などに格納された設定情報を参照して、電源制御にあたってＥＥ画像の属性を利用するか否かを判定する（ステップＳ５０３）。
【０２８８】
ここで、ＥＥ画像の属性を利用する場合、電源制御部２０３は、さらに、以前のＥＥ画像の属性が取得可能であるか否かを判定する（ステップＳ５０９）。以前のＥＥ画像の属性とは、例えば前回に電源が遮断されたときに取得されていたＥＥ画像の属性である。この属性が、例えば電源遮断時に不揮発性記憶部３０１などに格納されていれば、再び電源が投入されたときに電源制御部２０３がこれを取得することが可能である。
【０２８９】
ステップＳ５０９において、以前のＥＥ画像の属性が取得可能ではない場合、電源制御部２０３は、撮像部１３５の電力供給モードをカメラモードに切り替える（ステップＳ５０５）。
【０２９０】
その後、上記の各実施形態で説明したような撮像部１３５の電源制御が開始される（ステップＳ５０７）。
【０２９１】
これによって、以前のＥＥ画像の属性が取得可能である場合には、電力供給モードを再生モードとして消費電力を節約することができる。
【０２９２】
（処理フロー：第３の例）
図５２は、本開示の第１４の実施形態における処理フローの第３の例を示す図である。この第３の例は、電源制御に用いるＥＥ画像の属性について、以前に取得されたもので、所定時間内のものが利用可能でなければ、撮像部１３５の電力供給モードをカメラモードに切り替える例である。
【０２９３】
制御装置の電源が投入された場合に（ステップＳ５０１）、処理が開始される。電源制御部２０３は、例えば不揮発性記憶部３０１などに格納された設定情報を参照して、電源制御にあたってＥＥ画像の属性を利用するか否かを判定する（ステップＳ５０３）。
【０２９４】
ここで、ＥＥ画像の属性を利用する場合、電源制御部２０３は、さらに、以前のＥＥ画像の属性が取得可能であるか否かを判定する（ステップＳ５０９）。以前のＥＥ画像の属性が取得可能ではない場合、電源制御部２０３は、撮像部１３５の電力供給モードをカメラモードに切り替える（ステップＳ５０５）。
【０２９５】
一方、ステップＳ５０９で、以前のＥＥ画像の属性が取得可能である場合、電源制御部２０３は、さらに、取得可能な属性が所定時間以内の属性であるか否かを判定する（ステップＳ５１１）。ここで、取得可能な属性が所定時間以内の属性ではない場合も、電源制御部２０３は、撮像部１３５の電力供給モードをカメラモードに切り替える（ステップＳ５０５）。
【０２９６】
その後、上記の各実施形態で説明したような撮像部１３５の電源制御が開始される（ステップＳ５０７）。
【０２９７】
（処理フロー：第４の例）
図５３は、本開示の第１４の実施形態における処理フローの第４の例を示す図である。この第４の例は、電源制御に用いるＥＥ画像の属性が取得可能であるか否かに基づいて、電源制御のモードを切り替える例である。
【０２９８】
制御装置の電源が投入された場合に（ステップＳ５０１）、処理が開始される。電源制御部２０３は、例えば不揮発性記憶部３０１などに格納された設定情報を参照して、電源制御にあたってＥＥ画像の属性を利用するか否かを判定する（ステップＳ５０３）。
【０２９９】
ここで、ＥＥ画像の属性を利用する場合、電源制御部２０３は、さらに、以前のＥＥ画像の属性が取得可能であるか否かを判定する（ステップＳ５０９）。一方、ＥＥ画像の属性を利用しない場合、ＥＥ画像の属性を用いない撮像部１３５の電源制御が開始される（ステップＳ５１５）。
【０３００】
上記のステップＳ５０９で、以前のＥＥ画像の属性が取得可能である場合、電源制御部２０３は、さらに、取得可能な属性が所定時間以内の属性であるか否かを判定する（ステップＳ５１１）。一方、以前のＥＥ画像の属性が取得可能ではない場合、ＥＥ画像の属性を用いない撮像部１３５の電源制御が開始される（ステップＳ５１５）。
【０３０１】
上記のステップＳ５１１で、取得可能な属性が所定時間内の属性である場合、ＥＥ画像の属性を用いた撮像部１３５の電源制御が開始される（ステップＳ５１３）。一方、取得可能な属性が所定時間以内の属性ではない場合、ＥＥ画像の属性を用いない撮像部１３５の電源制御が開始される（ステップＳ５１５）。
【０３０２】
なお、ステップＳ５１５におけるＥＥ画像の属性を用いない撮像部１３５の電源制御は、制御の途中で電力供給モードがカメラモードになり、ＥＥ画像の属性取得が可能になった場合には、ＥＥ画像の属性を用いた電源制御に切り替えられてもよい。
【０３０３】
（５．補足）
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０３０４】
例えば、上記の実施形態において、ＥＥ関連画像は、ＥＥ画像、ＥＥ画像に共通する属性を有する再生画像、ブラックアウト画像、レビュー画像、静止画処理中画像、およびＥＥ画像の代替として表示される画像を含むものとして例示されたが、ＥＥ関連画像がこれらのうちのどの種類であるかによって、領域の設定を変更してもよい。この場合、例えば、上記の実施形態におけるＯＮ領域やＯＦＦ領域を、上記のＥＥ関連画像の種類に応じて変更してもよい。
【０３０５】
なお、以下のような構成も本開示の技術的範囲に属する。
（１）表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させる表示制御部と、
前記第１の表示モードおよび前記第２の表示モードの間の遷移において前記撮像部への電力供給を制御する電源制御部と
を備える制御装置。
（２）前記電源制御部は、前記表示部の画面における表示領域に対応して設定される第１の領域と、前記画面に配置される前記第１の種類の画像との位置関係に応じて前記撮像部への電力供給を制御する、前記（１）に記載の制御装置。
（３）前記電源制御部は、前記第１の種類の画像が前記第１の領域に含まれない場合に前記撮像部の所定の部分に電力を供給しない、前記（２）に記載の制御装置。
（４）前記第１の領域は、前記表示領域を包含する領域である、前記（３）に記載の制御装置。
（５）前記電源制御部は、前記第１の種類の画像が前記第１の領域に含まれない状態で所定の時間が経過した場合に、前記撮像部の所定の部分への電力の供給を終了する、前記（３）または（４）に記載の制御装置。
（６）前記電源制御部は、前記第１の種類の画像の少なくとも一部が前記表示領域に対応して設定される第２の領域に含まれる場合に前記撮像部の所定の部分に電力を供給する、前記（３）〜（５）のいずれか１項に記載の制御装置。
（７）前記第１の領域は、前記第２の領域を包含する領域である、前記（６）に記載の制御装置。
（８）前記第１の領域は、前記第２の領域と同一の領域である、前記（６）に記載の制御装置。
（９）前記電源制御部は、前記第１の種類の画像の少なくとも一部が前記第１の領域に含まれる場合に前記撮像部の所定の部分に電力を供給する、前記（２）に記載の制御装置。
（１０）前記画面は、重畳して表示される第１の画面および第２の画面を含み、
前記第１の領域は、前記第１の画面および前記第２の画面にそれぞれ設定される、前記（２）〜（９）のいずれか１項に記載の制御装置。
（１１）前記第２の画面が前記第１の画面によって遮蔽され、前記第１の画面が前記表示領域を有する場合、前記第２の画面における前記第１の領域は前記第１の画面の前記表示領域に対応して設定される、前記（１０）に記載の制御装置。
（１２）前記電源制御部は、前記第１の表示モードおよび前記第２の表示モードの間の遷移が発生してから所定の時間が経過した場合に、前記撮像部への電力供給を制御する、前記（１）〜（１１）のいずれか１項に記載の制御装置。
（１３）前記第１の種類の画像は、前記ＥＥ画像、前記ＥＥ画像の代替として表示される画像、または前記ＥＥ画像に共通する属性を有する再生画像を含む、前記（１）〜（１２）のいずれか１項に記載の制御装置。
（１４）前記第１の種類の画像は、撮影時刻、撮影位置、または被写体のうちの少なくとも１つについて、前記ＥＥ画像に共通する属性を有する再生画像を含む、前記（１３）に記載の制御装置。
（１５）前記電源制御部は、前記撮像部の所定の部分に電力が供給されない状態で、前記表示部に表示される再生画像が、所定の時間以内に取得された前記ＥＥ画像に共通する属性を有する場合に、前記撮像部の所定の部分への電力の供給を開始する、前記（１３）または（１４）に記載の制御装置。
（１６）前記第１の種類の画像は、複数の前記撮像部によってそれぞれ取得される複数の前記ＥＥ画像を含む、前記（１３）〜（１５）のいずれか１項に記載の制御装置。
（１７）前記第１の種類の画像は、単一の前記撮像部によって取得される画像を異なる状態で表示する複数のＥＥ画像を含む、前記（１３）〜（１６）のいずれか１項に記載の制御装置。
（１８）ユーザの操作入力を取得する入力処理部をさらに備え、
前記電源制御部は、
前記操作入力に従って前記撮像部の所定の部分への電力の供給を終了するときには、前記撮像部に含まれる収納式レンズの収納状態を変更し、
前記第１の表示モードと前記第２の表示モードとの間の遷移において前記撮像部の所定の部分への電力の供給を終了するときには、前記収納状態を変更しない、
前記（１）〜（１７）のいずれか１項に記載の制御装置。
（１９）表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させることと、
前記第１の表示モードおよび前記第２の表示モードの間の遷移において前記撮像部への電力供給を制御することと
を含む制御方法。
（２０）表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させる機能と、
前記第１の表示モードおよび前記第２の表示モードの間の遷移において前記撮像部への電力供給を制御する機能と
をコンピュータに実現させるためのプログラムが記録された、コンピュータ読み取り可能な記録媒体。
【符号の説明】
【０３０６】
１０    システム
１００    撮像装置
２００    表示装置
３００    画像記憶装置
１１０    鏡筒
１３５    撮像部
２０３    電源制御部
２０５    演算部
２１１    入力部
２１３    入力処理部
２１５    表示制御部
２１７    表示部
３０１    不揮発性記憶部
【図１】
2013187094.tif 000005
【図２】
2013187094.tif 000006
【図３】
2013187094.tif 000007
【図４】
2013187094.tif 000008
【図５】
2013187094.tif 000009
【図６】
2013187094.tif 000010
【図７】
2013187094.tif 000011
【図８】
2013187094.tif 000012
【図９】
2013187094.tif 000013
【図１０】
2013187094.tif 000014
【図１１】
2013187094.tif 000015
【図１２】
2013187094.tif 000016
【図１３】
2013187094.tif 000017
【図１４】
2013187094.tif 000018
【図１５】
2013187094.tif 000019
【図１６】
2013187094.tif 000020
【図１７】
2013187094.tif 000021
【図１８】
2013187094.tif 000022
【図１９】
2013187094.tif 000023
【図２０】
2013187094.tif 000024
【図２１】
2013187094.tif 000025
【図２２】
2013187094.tif 000026
【図２３】
2013187094.tif 000027
【図２４】
2013187094.tif 000028
【図２５】
2013187094.tif 000029
【図２６】
2013187094.tif 000030
【図２７】
2013187094.tif 000031
【図２８】
2013187094.tif 000032
【図２９】
2013187094.tif 000033
【図３０】
2013187094.tif 000034
【図３１】
2013187094.tif 000035
【図３２】
2013187094.tif 000036
【図３３】
2013187094.tif 000037
【図３４】
2013187094.tif 000038
【図３５】
2013187094.tif 000039
【図３６】
2013187094.tif 000040
【図３７】
2013187094.tif 000041
【図３８】
2013187094.tif 000042
【図３９】
2013187094.tif 000043
【図４０】
2013187094.tif 000044
【図４１】
2013187094.tif 000045
【図４２】
2013187094.tif 000046
【図４３】
2013187094.tif 000047
【図４４】
2013187094.tif 000048
【図４５】
2013187094.tif 000049
【図４６】
2013187094.tif 000050
【図４７】
2013187094.tif 000051
【図４８】
2013187094.tif 000052
【図４９】
2013187094.tif 000053
【図５０】
2013187094.tif 000054
【図５１】
2013187094.tif 000055
【図５２】
2013187094.tif 000056
【図５３】
2013187094.tif 000057
【手続補正書】
【提出日】平成27年1月26日(2015.1.26)
【手続補正１】
【補正対象書類名】特許請求の範囲
【補正対象項目名】全文
【補正方法】変更
【補正の内容】
【特許請求の範囲】
【請求項１】
表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させる表示制御部と、
前記第１の表示モードおよび前記第２の表示モードの間の遷移において前記撮像部への電力供給を制御する電源制御部と
を備える制御装置。
【請求項２】
前記電源制御部は、前記表示部の画面における表示領域に対応して設定される第１の領域と、前記画面に配置される前記第１の種類の画像との位置関係に応じて前記撮像部への電力供給を制御する、請求項１に記載の制御装置。
【請求項３】
前記電源制御部は、前記第１の種類の画像が前記第１の領域に含まれない場合に前記撮像部の所定の部分に電力を供給しない、請求項２に記載の制御装置。
【請求項４】
前記第１の領域は、前記表示領域を包含する領域である、請求項３に記載の制御装置。
【請求項５】
前記電源制御部は、前記第１の種類の画像が前記第１の領域に含まれない状態で所定の時間が経過した場合に、前記撮像部の所定の部分への電力の供給を終了する、請求項３または４に記載の制御装置。
【請求項６】
前記電源制御部は、前記第１の種類の画像の少なくとも一部が前記表示領域に対応して設定される第２の領域に含まれる場合に前記撮像部の所定の部分に電力を供給する、請求項３〜５のいずれか１項に記載の制御装置。
【請求項７】
前記第１の領域は、前記第２の領域を包含する領域である、請求項６に記載の制御装置。
【請求項８】
前記第１の領域は、前記第２の領域と同一の領域である、請求項６に記載の制御装置。
【請求項９】
前記電源制御部は、前記第１の種類の画像の少なくとも一部が前記第１の領域に含まれる場合に前記撮像部の所定の部分に電力を供給する、請求項２に記載の制御装置。
【請求項１０】
前記画面は、重畳して表示される第１の画面および第２の画面を含み、
前記第１の領域は、前記第１の画面および前記第２の画面にそれぞれ設定される、請求項２〜９のいずれか１項に記載の制御装置。
【請求項１１】
前記第２の画面が前記第１の画面によって遮蔽され、前記第１の画面が前記表示領域を有する場合、前記第２の画面における前記第１の領域は前記第１の画面の前記表示領域に対応して設定される、請求項１０に記載の制御装置。
【請求項１２】
前記電源制御部は、前記第１の表示モードおよび前記第２の表示モードの間の遷移が発生してから所定の時間が経過した場合に、前記撮像部への電力供給を制御する、請求項１〜１１のいずれか１項に記載の制御装置。
【請求項１３】
前記第１の種類の画像は、前記ＥＥ画像、前記ＥＥ画像の代替として表示される画像、または前記ＥＥ画像に共通する属性を有する再生画像を含む、請求項１〜１２のいずれか１項に記載の制御装置。
【請求項１４】
前記第１の種類の画像は、撮影時刻、撮影位置、または被写体のうちの少なくとも１つについて、前記ＥＥ画像に共通する属性を有する再生画像を含む、請求項１３に記載の制御装置。
【請求項１５】
前記電源制御部は、前記撮像部の所定の部分に電力が供給されない状態で、前記表示部に表示される再生画像が、所定の時間以内に取得された前記ＥＥ画像に共通する属性を有する場合に、前記撮像部の所定の部分への電力の供給を開始する、請求項１３または１４に記載の制御装置。
【請求項１６】
前記第１の種類の画像は、複数の前記撮像部によってそれぞれ取得される複数の前記ＥＥ画像を含む、請求項１３〜１５のいずれか１項に記載の制御装置。
【請求項１７】
前記第１の種類の画像は、単一の前記撮像部によって取得される画像を異なる状態で表示する複数のＥＥ画像を含む、請求項１３〜１６のいずれか１項に記載の制御装置。
【請求項１８】
ユーザの操作入力を取得する入力処理部をさらに備え、
前記電源制御部は、
前記操作入力に従って前記撮像部の所定の部分への電力の供給を終了するときには、前記撮像部に含まれる収納式レンズの収納状態を変更し、
前記第１の表示モードと前記第２の表示モードとの間の遷移において前記撮像部の所定の部分への電力の供給を終了するときには、前記収納状態を変更しない、
請求項１〜１７のいずれか１項に記載の制御装置。
【請求項１９】
表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させることと、
前記第１の表示モードおよび前記第２の表示モードの間の遷移において前記撮像部への電力供給を制御することと
を含む制御方法。
【請求項２０】
表示部の表示を、撮像部によって取得されるＥＥ（Electric  to  Electric）画像に対して所定の関係を有する第１の種類の画像、ならびに前記第１の種類とは異なる第２の種類の画像を表示する第１の表示モード、および前記第１の種類の画像を表示せずに前記第２の種類の画像を表示する第２の表示モードの間で遷移させる機能と、
前記第１の表示モードおよび前記第２の表示モードの間の遷移において前記撮像部への電力供給を制御する機能と
をコンピュータに実現させるためのプログラムが記録された、コンピュータ読み取り可能な記録媒体。
【国際調査報告】
2013187094.tif 000058
2013187094.tif 000059
2013187094.tif 000060
2013187094.tif 000061